(57)【特許請求の範囲】
【請求項１】
システム情報ブロックを検出することを容易にする方法であって、
前記システム情報ブロックに関するスケジューリング情報のタイプを選択することと、ここで、前記スケジューリング情報のタイプは、リソース・ブロック割当である、
既知のパラメータを、前記スケジューリング情報のタイプに関連付けることと、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを、無線端末へ送信することと、
干渉元のシステム情報ブロックのスケジューリングに対する前記システム情報ブロックの所望のスケジューリングに基づいて、前記既知のパラメータを決定することと
を備える方法。
【請求項２】
前記システム情報ブロックは、タイプ１システム情報ブロック（ＳＩＢ１）である、請求項１に記載の方法。
【請求項３】
前記既知のパラメータは、システム・フレーム番号またはセル識別子である、請求項１に記載の方法。
【請求項４】
前記所望のスケジューリングは、直交スケジューリングであり、前記リソース・ブロック割当は、干渉元のリソース・ブロック割当に対して、オーバラップしないリソース・ブロック割当である、請求項１に記載の方法。
【請求項５】
前記所望のスケジューリングは、完全衝突スケジューリングであり、前記リソース・ブロック割当は、干渉元のリソース・ブロック割当に関して、同一のリソース・ブロック割当である、請求項１に記載の方法。
【請求項６】
システム・フレーム番号を、干渉元のシステム・フレーム番号と同期させることをさらに備え、前記同一のリソース・ブロック割当は、前記システム・フレーム番号から導出可能である、請求項５に記載の方法。
【請求項７】
前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、請求項１に記載の方法。
【請求項８】
第２のタイプのスケジューリング情報を制約することをさらに備える、請求項１に記載の方法。
【請求項９】
前記制約することは、可能な数の変調および符号化スキーム選択を制限することを備え、前記無線端末によって実行されるブラインド復号動作を減らすことが、前記制限によって容易とされる、請求項８に記載の方法。
【請求項１０】
前記送信することは、ルールを示すインジケーションを、前記無線端末へ通信することを備え、前記ルールは、前記第２のタイプのスケジューリング情報の制約に関連付けられている、請求項８に記載の方法。
【請求項１１】
前記送信することは、前記システム情報ブロックを、複数の冗長バージョンによって、複数の無線端末へ通信することを備える、請求項１に記載の方法。
【請求項１２】
前記複数の冗長バージョンの第１のサブセットが、レガシー無線端末に関連付けられ、前記複数の冗長バージョンの第２のサブセットが、非レガシー無線端末に関連付けられた、請求項１１に記載の方法。
【請求項１３】
前記送信することは、前記既知のパラメータから導出されたスケジューリング情報にしたがって、前記複数の冗長バージョンの第２のサブセットを提供することを備え、前記既知のパラメータは、前記非レガシー無線端末のうちの少なくとも１つによって知られている、請求項１２に記載の方法。
【請求項１４】
前記送信することは、ルールを示すインジケーションを、前記無線端末へ通信することを備え、前記ルールは、前記既知のパラメータを、前記スケジューリング情報のタイプに関連付けることに関連付けられている、請求項１に記載の方法。
【請求項１５】
システム情報ブロックを検出することを容易にするように構成された装置であって、
メモリに格納されたコンピュータ実行可能な構成要素を実行するように構成されたプロセッサを備え、前記構成要素は、
前記システム情報ブロックに関するスケジューリング情報のタイプを選択するように構成されたスケジューリング構成要素と、ここで、前記スケジューリング情報のタイプは、リソース・ブロック割当である、
既知のパラメータを、前記スケジューリング情報のタイプに関連付けるように構成された関連付け構成要素と、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを無線端末へ送信するように構成された通信構成要素と、
を備え、前記関連付け構成要素は、干渉元のシステム情報ブロックのスケジューリングに対する前記システム情報ブロックの所望のスケジューリングに基づいて、前記既知のパラメータを決定するように構成される、装置。
【請求項１６】
前記システム情報ブロックは、タイプ１システム情報ブロック（ＳＩＢ１）である、請求項１５に記載の装置。
【請求項１７】
前記既知のパラメータは、システム・フレーム番号またはセル識別子である、請求項１５に記載の装置。
【請求項１８】
前記所望のスケジューリングは、直交スケジューリングであり、前記リソース・ブロック割当は、干渉元のリソース・ブロック割当に対して、オーバラップしないリソース・ブロック割当である、請求項１５に記載の装置。
【請求項１９】
前記所望のスケジューリングは、完全衝突スケジューリングであり、前記リソース・ブロック割当は、干渉元のリソース・ブロック割当に関して、同一のリソース・ブロック割当である、請求項１５に記載の装置。
【請求項２０】
前記通信構成要素は、システム・フレーム番号を、干渉元のシステム・フレーム番号と同期させるように構成され、前記同一のリソース・ブロック割当は、前記システム・フレーム番号から導出可能である、請求項１９に記載の装置。
【請求項２１】
前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、請求項１５に記載の装置。
【請求項２２】
前記スケジューリング構成要素は、第２のタイプのスケジューリング情報を制約するように構成された、請求項１５に記載の装置。
【請求項２３】
前記スケジューリング構成要素は、可能な数の変調および符号化スキーム選択を制限するように構成され、前記無線端末によって実行されるブラインド復号動作を減らすことが、前記制限によって容易とされる、請求項２２に記載の装置。
【請求項２４】
前記通信構成要素は、ルールを示すインジケーションを、前記無線端末へ通信するように構成され、前記ルールは、前記第２のタイプのスケジューリング情報の制約に関連付けられている、請求項２２に記載の装置。
【請求項２５】
前記通信構成要素は、前記システム情報ブロックを、複数の冗長バージョンによって、複数の無線端末へ通信するように構成された、請求項１５に記載の装置。
【請求項２６】
前記複数の冗長バージョンの第１のサブセットが、レガシー無線端末に関連付けられ、前記複数の冗長バージョンの第２のサブセットが、非レガシー無線端末に関連付けられた、請求項２５に記載の装置。
【請求項２７】
前記通信構成要素は、前記既知のパラメータから導出されたスケジューリング情報にしたがって、前記複数の冗長バージョンの第２のサブセットを提供するように構成され、前記既知のパラメータは、前記非レガシー無線端末のうちの少なくとも１つによって知られている、請求項２６に記載の装置。
【請求項２８】
前記通信構成要素は、ルールを示すインジケーションを、前記無線端末へ通信するように構成され、前記ルールは、前記既知のパラメータを、前記スケジューリング情報のタイプに関連付けることに関連付けられている、請求項１５に記載の装置。
【請求項２９】
システム情報ブロックを検出することを容易にするためのコードを記憶したコンピュータ読取可能な記憶媒体であって、少なくとも１つのコンピュータに対して、
前記システム情報ブロックに関するスケジューリング情報のタイプを選択することと、ここで、前記スケジューリング情報のタイプは、リソース・ブロック割当である、
既知のパラメータを、前記スケジューリング情報のタイプに関連付けることと、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを、無線端末へ送信することと、
干渉元のシステム情報ブロックのスケジューリングに対する前記システム情報ブロックの所望のスケジューリングに基づいて、前記既知のパラメータを決定することと
を実行させるためのコードを記憶したコンピュータ読取可能な記憶媒体。
【請求項３０】
前記システム情報ブロックは、タイプ１システム情報ブロック（ＳＩＢ１）である、請求項２９に記載のコンピュータ読取可能な記憶媒体。
【請求項３１】
前記既知のパラメータは、システム・フレーム番号またはセル識別子である、請求項２９に記載のコンピュータ読取可能な記憶媒体。
【請求項３２】
前記所望のスケジューリングは、直交スケジューリングであり、前記リソース・ブロック割当は、干渉元のリソース・ブロック割当に対して、オーバラップしないリソース・ブロック割当である、請求項２９に記載のコンピュータ読取可能な記憶媒体。
【請求項３３】
前記所望のスケジューリングは、完全衝突スケジューリングであり、前記リソース・ブロック割当は、干渉元のリソース・ブロック割当に関して、同一のリソース・ブロック割当である、請求項２９に記載のコンピュータ読取可能な記憶媒体。
【請求項３４】
前記コードは、前記少なくとも１つのコンピュータに対して、システム・フレーム番号を、干渉元のシステム・フレーム番号と同期させ、ここで、前記同一のリソース・ブロック割当は、前記システム・フレーム番号から導出可能である、請求項３３に記載のコンピュータ読取可能な記憶媒体。
【請求項３５】
前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、請求項２９に記載のコンピュータ読取可能な記憶媒体。
【請求項３６】
前記コードは、前記少なくとも１つのコンピュータに対して、第２のタイプのスケジューリング情報を制約させる、請求項２９に記載のコンピュータ読取可能な記憶媒体。
【請求項３７】
前記コードは、前記少なくとも１つのコンピュータに対して、可能な数の変調および符号化スキーム選択を制限させ、ここで、前記無線端末によって実行されるブラインド復号動作を減らすことが、前記制限によって容易とされる、請求項３６に記載のコンピュータ読取可能な記憶媒体。
【請求項３８】
前記コードは、前記少なくとも１つのコンピュータに対して、ルールを示すインジケーションを、前記無線端末へ通信させ、ここで、前記ルールは、前記第２のタイプのスケジューリング情報の制約に関連付けられている、請求項３６に記載のコンピュータ読取可能な記憶媒体。
【請求項３９】
システム情報ブロックを検出することを容易にするように構成された装置であって、
前記システム情報ブロックに関するスケジューリング情報のタイプを選択する手段と、ここで、前記スケジューリング情報のタイプは、リソース・ブロック割当である、
既知のパラメータを、前記スケジューリング情報のタイプに関連付ける手段と、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを、無線端末へ送信する手段と、
を備え、前記関連付ける手段は、干渉元のシステム情報ブロックのスケジューリングに対する前記システム情報ブロックの所望のスケジューリングに基づいて、前記既知のパラメータを決定するように構成される、装置。
【請求項４０】
前記既知のパラメータは、システム・フレーム番号またはセル識別子である、請求項３９に記載の装置。
【請求項４１】
前記所望のスケジューリングは、直交スケジューリングであり、前記リソース・ブロック割当は、干渉元のリソース・ブロック割当に対して、オーバラップしないリソース・ブロック割当である、請求項３９に記載の装置。
【請求項４２】
前記所望のスケジューリングは、完全衝突スケジューリングであり、前記リソース・ブロック割当は、干渉元のリソース・ブロック割当に関して、同一のリソース・ブロック割当である、請求項３９に記載の装置。
【請求項４３】
前記送信する手段は、システム・フレーム番号を、干渉元のシステム・フレーム番号と同期させるように構成され、前記同一のリソース・ブロック割当は、前記システム・フレーム番号から導出可能である、請求項４２に記載の装置。
【請求項４４】
前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、請求項３９に記載の装置。
【請求項４５】
前記送信する手段は、前記システム情報ブロックを、複数の冗長バージョンによって、複数の無線端末へ通信するように構成された、請求項３９に記載の装置。
【請求項４６】
前記複数の冗長バージョンの第１のサブセットが、レガシー無線端末に関連付けられ、前記複数の冗長バージョンの第２のサブセットが、非レガシー無線端末に関連付けられた、請求項４５に記載の装置。
【請求項４７】
前記送信する手段は、前記既知のパラメータから導出されたスケジューリング情報にしたがって、前記複数の冗長バージョンの第２のサブセットを提供するように構成され、前記既知のパラメータは、前記非レガシー無線端末のうちの少なくとも１つによって知られている、請求項４６に記載の装置。
【請求項４８】
前記送信する手段は、ルールを示すインジケーションを、前記無線端末へ通信するように構成され、ここで、前記ルールは、前記既知のパラメータを、前記スケジューリング情報のタイプに関連付けることに関連付けられている、請求項３９に記載の装置。
【請求項４９】
システム情報ブロックを検出することを容易にする方法であって、
前記システム情報ブロックの送信を受信することと、
前記送信に関連付けられたスケジューリング情報のタイプを、少なくとも１つの既知のパラメータから導出することと、ここで、前記スケジューリング情報のタイプは、リソース・ブロック割当であり、前記少なくとも１つの既知のパラメータは、干渉元のシステム情報ブロックのスケジューリングに対する前記システム情報ブロックの所望のスケジューリングに基づいて決定されている、
前記システム情報ブロックを、前記スケジューリング情報のタイプに基づいて復号することと、ここで、前記復号することは、物理ダウンリンク制御チャネル送信と独立して実行される、
を備える方法。
【請求項５０】
前記システム情報ブロックは、タイプ１システム情報ブロック（ＳＩＢ１）である、請求項４９に記載の方法。
【請求項５１】
前記少なくとも１つの既知のパラメータは、システム・フレーム番号またはセル識別子である、請求項４９に記載の方法。
【請求項５２】
第２のタイプのスケジューリング情報に関連付けられた制約を特定することをさらに備える、請求項４９に記載の方法。
【請求項５３】
前記制約は、可能な数の変調および符号化スキーム選択を限定することに関連付けられており、ここで、前記制約によって、ブラインド復号動作を減らすことが容易とされる、請求項５２に記載の方法。
【請求項５４】
前記送信は、複数の冗長バージョンによって受信され、前記受信することは、レガシー無線端末に関連付けられた前記複数の冗長バージョンの第１のサブセットを、非レガシー無線端末に関連付けられた前記複数の冗長バージョンの第２のサブセットと区別することを備える、請求項４９に記載の方法。
【請求項５５】
第１のシステム情報ブロックと第２のシステム情報ブロックの間の衝突を検出することをさらに備える、請求項４９に記載の方法。
【請求項５６】
前記第１のシステム情報ブロックから復号された内容に対応する、再構築されたシンボルを除去することをさらに備え、前記除去することは、前記衝突の検出に基づく、請求項５５に記載の方法。
【請求項５７】
前記検出することは、前記スケジューリング情報のタイプと、前記少なくとも１つの既知のパラメータとの間の関連付けに基づく、請求項５５に記載の方法。
【請求項５８】
システム情報ブロックを検出することを容易にするように構成された装置であって、
メモリに格納されたコンピュータ実行可能な構成要素を実行するように構成されたプロセッサを備え、前記構成要素は、
前記システム情報ブロックの送信を受信するように構成された通信構成要素と、
前記送信に関連付けられたスケジューリング情報のタイプを、少なくとも１つの既知のパラメータから導出するように構成された導出構成要素と、ここで、前記スケジューリング情報のタイプは、リソース・ブロック割当であり、前記少なくとも１つの既知のパラメータは、干渉元のシステム情報ブロックのスケジューリングに対する前記システム情報ブロックの所望のスケジューリングに基づいて決定されている、
前記システム情報ブロックの復号を、前記スケジューリング情報のタイプに基づいて実行するように構成された復号構成要素と、ここで、前記復号は、物理ダウンリンク制御チャネル送信と独立して実行される、
を備える装置。
【請求項５９】
前記システム情報ブロックは、タイプ１システム情報ブロック（ＳＩＢ１）である、請求項５８に記載の装置。
【請求項６０】
前記少なくとも１つの既知のパラメータは、システム・フレーム番号またはセル識別子である、請求項５８に記載の装置。
【請求項６１】
第２のタイプのスケジューリング情報に関連付けられた制約を特定するように構成された制約構成要素をさらに備える、請求項５８に記載の装置。
【請求項６２】
前記制約は、可能な数の変調および符号化スキーム選択を限定することに関連付けられており、前記制約によって、ブラインド復号動作を減らすことが容易とされる、請求項６１に記載の装置。
【請求項６３】
前記送信は、複数の冗長バージョンによって受信され、前記通信構成要素は、レガシー無線端末に関連付けられた前記複数の冗長バージョンの第１のサブセットを、非レガシー無線端末に関連付けられた前記複数の冗長バージョンの第２のサブセットと区別するように構成された、請求項５８に記載の装置。
【請求項６４】
第１のシステム情報ブロックと第２のシステム情報ブロックとの間の衝突を検出するように構成された検出構成要素をさらに備える、請求項５８に記載の装置。
【請求項６５】
前記衝突の検出に基づいて、前記第１のシステム情報ブロックから復号された内容に対応する、再構築されたシンボルを除去するように構成された除去構成要素をさらに備える、請求項６４に記載の装置。
【請求項６６】
前記検出は、前記スケジューリング情報のタイプと、前記少なくとも１つの既知のパラメータとの間の関連付けに基づく、請求項６４に記載の装置。
【請求項６７】
システム情報ブロックを検出することを容易にするためのコードを記憶したコンピュータ読取可能な記憶媒体であって、少なくとも１つのコンピュータに対して、
前記システム情報ブロックの送信を受信することと、
前記送信に関連付けられたスケジューリング情報のタイプを、少なくとも１つの既知のパラメータから導出することと、ここで、前記スケジューリング情報のタイプは、リソース・ブロック割当であり、前記少なくとも１つの既知のパラメータは、干渉元のシステム情報ブロックのスケジューリングに対する前記システム情報ブロックの所望のスケジューリングに基づいて決定されている、
前記システム情報ブロックを、前記スケジューリング情報のタイプに基づいて復号することと、ここで、前記システム情報ブロックは、物理ダウンリンク制御チャネル送信と独立して復号される、
を実行させるためのコードを記憶したコンピュータ読取可能な記憶媒体。
【請求項６８】
前記コードは、前記少なくとも１つのコンピュータに対して、第２のタイプのスケジューリング情報に関連付けられた制約を特定させる、請求項６７に記載のコンピュータ読取可能な記憶媒体。
【請求項６９】
前記制約は、可能な数の変調および符号化スキーム選択を限定することに関連付けられており、前記制約によって、ブラインド復号動作を減らすことが容易とされる、請求項６８に記載のコンピュータ読取可能な記憶媒体。
【請求項７０】
前記送信は、複数の冗長バージョンによって受信され、前記コードは、前記少なくとも１つのコンピュータに対して、レガシー無線端末に関連付けられた前記複数の冗長バージョンの第１のサブセットを、非レガシー無線端末に関連付けられた前記複数の冗長バージョンの第２のサブセットと区別させる、請求項６７に記載のコンピュータ読取可能な記憶媒体。
【請求項７１】
前記コードは、前記少なくとも１つのコンピュータに対して、第１のシステム情報ブロックと第２のシステム情報ブロックとの間の衝突を検出させる、請求項６７に記載のコンピュータ読取可能な記憶媒体。
【請求項７２】
前記コードは、前記少なくとも１つのコンピュータに対して、前記衝突の検出に基づいて、前記第１のシステム情報ブロックから復号された内容に対応する、再構築されたシンボルを除去させる、請求項７１に記載のコンピュータ読取可能な記憶媒体。
【請求項７３】
前記検出は、前記スケジューリング情報のタイプと、前記少なくとも１つの既知のパラメータとの間の関連付けに基づく、請求項７１に記載のコンピュータ読取可能な記憶媒体。
【請求項７４】
システム情報ブロックを検出することを容易にするように構成された装置であって、
前記システム情報ブロックの送信を受信する手段と、
前記送信に関連付けられたスケジューリング情報のタイプを、少なくとも１つの既知のパラメータから導出する手段と、ここで、前記スケジューリング情報のタイプは、リソース・ブロック割当であり、前記少なくとも１つの既知のパラメータは、干渉元のシステム情報ブロックのスケジューリングに対する前記システム情報ブロックの所望のスケジューリングに基づいて決定されている、
前記システム情報ブロックを、前記スケジューリング情報のタイプに基づいて復号する手段と、ここで、前記システム情報ブロックは、物理ダウンリンク制御チャネル送信と独立して復号される、
を備える装置。
【請求項７５】
前記システム情報ブロックは、タイプ１システム情報ブロック（ＳＩＢ１）である、請求項７４に記載の装置。
【請求項７６】
前記少なくとも１つの既知のパラメータは、システム・フレーム番号またはセル識別子である、請求項７４に記載の装置。
【発明の詳細な説明】
【関連出願に対する相互参照】
【０００１】
本出願は、２００９年８月２４日に出願された「ヘテロジニアスなネットワークにおけるシステム情報ブロック・タイプ検出のための方法および装置」（A METHOD AND APPARATUS FOR SYSTEM INFORMATION BLOCK TYPE DETECTION IN HETEROGENEOUS NETWORK）と題された米国仮特許出願６１／２３６，２５４号の利益を主張する。上記出願の全体は、参照によって本明細書に組み込まれる。
【技術分野】
【０００２】
以下の記載は、一般に、無線通信に関し、さらに詳しくは、ヘテロジニアスなネットワークにおいてシステム情報ブロックを検出することに関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。このような多元接続システムの例は、符号分割多元接続（ＣＤＭＡ）システム、時分割多元接続（ＴＤＭＡ）システム、周波数分割多元接続（ＦＤＭＡ）システム、３ＧＰＰロング・ターム・イボリューション（ＬＴＥ）システム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システムおよび周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイントにおいて複数のアンテナが利用可能である場合、アクセス・ポイントは、順方向リンクで送信ビーム・フォーミング・ゲインを抽出できるようになる。
【０００７】
システム情報ブロック送信に関し、このような送信を復号することは、ヘテロジニアスなネットワーク（すなわち、マクロ・セル、フェムト・セル、および／または、ピコ・セルを有するネットワーク）の拡張とともに、より困難になってきていることが注目される。すなわち、ヘテロジニアスなネットワーク内の無線端末は、それぞれのシステム情報ブロックを送信している複数の基地局からの干渉を経験しうる。したがって、このような干渉を緩和する方法および装置が望まれる。
【０００８】
現在の無線通信システムの上記欠点は、単に、従来システムの問題のうちのいくつかの概観を提供することが意図されており、すべてを網羅したものではないことが意図される。従来システムのその他の問題、および、本明細書に記載されたさまざまな限定しない実施形態の対応する利点は、以下の記述を検討することにより、さらに明確になりうる。
【発明の概要】
【０００９】
以下は、１または複数の実施形態の基本的な理解を与えるために、このような実施形態の簡略化された概要を示す。この概要は、考えられるすべての実施形態の広範囲な概観ではなく、すべての実施形態の重要要素や決定的要素を特定することも、何れかまたはすべての実施形態のスコープを線引きすることも意図されていない。その唯一の目的は、後に示されるより詳細な記載に対する前置きとして、簡略化された形式で１または複数の実施形態のいくつかの概念を表すことである。
【００１０】
１または複数の実施形態および対応する開示によれば、さまざまな態様が、ヘテロジニアスなネットワークにおいてシステム情報ブロックを検出することに関して記載される。１つの態様では、システム情報ブロックを検出することを容易にする方法およびコンピュータ・プログラム製品が開示される。これらの実施形態は、システム情報ブロックに関するスケジューリング情報のタイプを選択することと、既知のパラメータを、スケジューリング情報のタイプに関連付けることと、を含む。これらの実施形態に関し、物理ダウンリンク制御チャネル送信と独立して、既知のパラメータを、スケジューリング情報のタイプに関連付けることによって、システム情報ブロックの復号が容易となる。システム情報ブロックは、その後、無線端末へ送信される。
【００１１】
別の態様では、システム情報ブロックを検出することを容易にするように構成された装置が開示される。このような実施形態では、装置は、メモリに格納されたコンピュータ実行可能な構成要素を実行するように構成されたプロセッサを含んでいる。コンピュータ実行可能な構成要素は、スケジューリング構成要素、関連付け構成要素、および通信構成要素を含む。スケジューリング構成要素は、システム情報ブロックに関するスケジューリング情報のタイプを選択するように構成される一方、関連付け構成要素は、既知のパラメータを、スケジューリング情報のタイプに関連付けるように構成される。この実施形態に関し、物理ダウンリンク制御チャネル送信と独立して、既知のパラメータを、スケジューリング情報のタイプに関連付けることによって、システム情報ブロックの復号が容易とされる。通信構成要素は、その後、無線端末へシステム情報ブロックを送信するように構成される。
【００１２】
さらなる態様では、別の装置が開示される。このような実施形態では、装置は、選択する手段と、関連付ける手段と、通信する手段とを含んでいる。この実施形態に関し、選択する手段は、システム情報ブロックに関するスケジューリング情報のタイプを選択する一方、関連付ける手段は、既知のパラメータを、スケジューリング情報のタイプに関連付ける。この実施形態に関し、物理ダウンリンク制御チャネル送信と独立して、既知のパラメータを、スケジューリング情報のタイプに関連付けることによって、システム情報ブロックの復号が容易となる。送信する手段は、その後、無線端末へシステム情報ブロックを送信する。
【００１３】
別の態様では、システム情報ブロックを検出することを容易とする方法およびコンピュータ・プログラム製品が開示される。これらの実施形態は、システム情報ブロックの送信を受信することと、この送信に関連付けられたスケジューリング情報のタイプを、少なくとも１つの既知のパラメータから導出することとを含む。さらに、これらの実施形態は、システム情報を、スケジューリング情報のタイプに基づいて復号することを含む。ここで、復号は、物理ダウンリンク制御チャネル送信と独立して実行されることが注目されるべきである。
【００１４】
別の態様では、システム情報ブロックを検出することを容易にするように構成された装置が開示される。このような実施形態では、装置は、メモリに格納されたコンピュータ実行可能な構成要素を実行するように構成されたプロセッサを含んでいる。コンピュータ実行可能な構成要素は、通信構成要素、導出構成要素、および復号構成要素を含む。通信構成要素は、システム情報ブロックの送信を受信するように構成される一方、導出構成要素は、この送信に関連付けられたスケジューリング情報を、少なくとも１つの既知のパラメータから導出するように構成される。復号構成要素は、その後、システム情報ブロックの復号を、スケジューリング情報のタイプに基づいて実行するように構成される。この特定の実施形態の場合、復号は、物理ダウンリンク制御チャネル送信と独立して実行される。
【００１５】
さらなる態様では、別の装置が開示される。このような実施形態では、装置は、受信する手段、導出する手段、および復号する手段を含む。この実施形態に関し、受信する手段は、システム情報ブロックの送信を受信する一方、導出する手段は、この送信に関連付けられたスケジューリング情報を、少なくとも１つの既知のパラメータから導出する。この実施形態に関し、復号する手段は、その後、システム情報ブロックを、制約およびスケジューリング情報に基づいて復号する。ここで、システム情報ブロックは、物理ダウンリンク制御チャネル送信と独立して復号される。
【００１６】
前述した目的および関連する目的を達成するために、１または複数の実施形態は、以下に十分説明され、特に特許請求の範囲で指摘される特徴を備える。次の記載および添付図面は、１または複数の実施形態のある実例となる態様を詳細に記載する。しかしながら、これらの態様は、さまざまな実施形態の原理が適用されるさまざまな方法のうちの僅かしか示しておらず、記載された実施形態は、そのようなすべての局面およびそれらの均等物を示すことが意図されている。
【図面の簡単な説明】
【００１７】
【図１】図１は、本明細書に記載されたさまざまな態様にしたがう無線通信システムの実例である。
【図２】図２は、本明細書に記載されたさまざまなシステムおよび方法とともに適用されうる典型的な無線ネットワーク環境の実例である。
【図３】図３は、実施形態にしたがって、システム情報ブロックを検出することを容易にする典型的なヘテロジニアス・システムの例示である。
【図４】図４は、主題とする仕様の態様にしたがって、システム情報ブロックを検出することを容易にする典型的なネットワーク・エンティティのブロック図を例示する。
【図５】図５は、システム情報ブロックを検出することを有効にする電子構成要素の第１の典型的な接続の例示である。
【図６】図６は、主題とする仕様の態様にしたがって、システム情報ブロックを検出することを容易にする典型的な方法を例示する第１のフロー・チャートである。
【図７】図７は、主題とする仕様の態様にしたがって、システム情報ブロックを検出することを容易にする典型的な無線端末のブロック図を例示する。
【図８】図８は、システム情報ブロックを検出することを有効にする電子構成要素の第２の典型的な接続の例示である。
【図９】図９は、主題とする仕様の態様にしたがって、システム情報ブロックを検出することを容易にする典型的な方法を例示する第２のフロー・チャートである。
【図１０】図１０は、複数のセルを含むさまざまな態様にしたがって実現される典型的な通信システムの例示である。
【図１１】図１１は、本明細書に記載されたさまざまな態様にしたがう典型的な基地局の例示である。
【図１２】図１２は、本明細書に記載されたさまざまな態様にしたがって実現される典型的な無線端末の実例である。
【発明を実施するための形態】
【００１８】
さまざまな実施形態が、全体を通じて同一要素を示すために同一の参照番号が使用される図面を参照して説明される。次の記載では、説明の目的のために、多数の特定の詳細が、１または複数の実施形態についての完全な理解を提供するために記載される。しかしながら、そのような実施形態は、これら具体的な詳細なしで実現されうることが明白でありうる。他の事例では、１または複数の実施形態の記載を容易にするために、周知の構成およびデバイスがブロック図形式で示される。
【００１９】
主題とする仕様は、ヘテロジニアスなネットワークにおいてシステム情報ブロックを検出することに向けられる。典型的な実施形態は、ヘテロジニアスなネットワーク内で、システム情報ブロック送信に関連付けられた干渉の緩和のために開示される。例えば、無線端末に既知のパラメータにスケジューリング情報を関連付ける物理ダウンリンク制御チャネル送信と独立したスキームのみならず、干渉元のシステム情報ブロック送信に関するスケジューリング情報に基づいてシステム情報ブロック送信をスケジュールするスケジューリング・スキーム、を含むさまざまな干渉緩和スキームが開示される。
【００２０】
この目的のために、本明細書で記述された技術は、例えば、符号分割多元接続（ＣＤＭＡ）、時分割多元接続（ＴＤＭＡ）、周波数分割多元接続（ＦＤＭＡ）、直交周波数分割多元接続（ＯＦＤＭＡ）、シングル・キャリア周波数分割多元接続（ＳＣ−ＦＤＭＡ）、高速パケット・アクセス（ＨＳＰＡ）、およびその他のシステムのようなさまざまな無線通信システムのために使用されうることが注目される。「システム」、「ネットワーク」という用語はしばしば置換可能に使用される。ＣＤＭＡシステムは、例えばユニバーサル地上ラジオ・アクセス（ＵＴＲＡ）、ＣＤＭＡ２０００等のようなラジオ技術を実現することができる。ＵＴＲＡは、広帯域ＣＤＭＡ（Ｗ−ＣＤＭＡ）およびＣＤＭＡのその他の変形を含んでいる。ＣＤＭＡ２０００は、ＩＳ−２０００規格、ＩＳ−９５規格、およびＩＳ−８５６規格をカバーする。ＴＤＭＡシステムは、例えばグローバル移動体通信システム（ＧＳＭ（登録商標））のような無線技術を実現することができる。ＯＦＤＭＡシステムは、例えばイボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュ−ＯＦＤＭ（登録商標）等のような無線技術を実現することができる。ＵＴＲＡおよびＥ−ＵＴＲＡは、ユニバーサル・モバイル・テレコミュニケーション・システム（ＵＭＴＳ）の一部である。３ＧＰＰロング・ターム・イボリューション（ＬＴＥ）は、ダウンリンクではＯＦＤＭＡを適用し、アップリンクではＳＣ−ＦＤＭＡを適用するＥ−ＵＴＲＡを用いるＵＭＴＳのリリースである。
【００２１】
シングル・キャリア周波数分割多元接続（ＳＣ−ＦＤＭＡ）は、シングル・キャリア変調および周波数ドメイン等値化を用いる。ＳＣ−ＦＤＭＡは、ＯＦＤＭＡシステムと類似の性能を有し、本質的に全体的に同等の複雑さを有する。ＳＣ−ＦＤＭＡ信号は、その固有のシングル・キャリア構造により、より低いピーク対平均電力比（ＰＡＰＲ）を有する。ＳＣ−ＦＤＭＡは、例えば、より低いＰＡＰＲが送信電力効率の観点からアクセス端末に非常に役立つアップリンク通信で使用されうる。したがって、ＳＣ−ＦＤＭＡは、３ＧＰＰロング・ターム・イボリューション（ＬＴＥ）すなわちイボルブドＵＴＲＡにおけるアップリンク多元接続性スキームとして実施されうる。
【００２２】
高速パケット・アクセス（ＨＳＰＡ）は、高速ダウンリンク・パケット・アクセス（ＨＳＤＰＡ）技術および高速アップリンク・パケット・アクセス（ＨＳＵＰＡ）、またはエンハンスト・アップリンク（ＥＵＬ）技術を含むことができ、さらにＨＳＰＡ＋技術を含むことができる。ＨＳＤＰＡ、ＨＳＵＰＡ、およびＨＳＰＡ＋はそれぞれ、第３世代パートナシップ計画（３ＧＰＰ）仕様リリース５、リリース６、およびリリース７の一部である。
【００２３】
高速ダウンリンク・パケット・アクセス（ＨＳＤＰＡ）は、ネットワークからユーザ機器（ＵＥ）へのデータ送信を最適化する。本明細書で使用されるように、ネットワークからユーザ機器ＵＥへの送信は、「ダウンリンク」（ＤＬ）と称されうる。送信方法は、数メガ・ビット／秒のデータ・レートを可能にしうる。高速ダウンリンク・パケット・アクセス（ＨＳＤＰＡ）は、モバイル・ラジオ・ネットワークの容量を増加しうる。高速アップリンク・パケット・アクセス（ＨＳＵＰＡ）は、端末からネットワークへのデータ送信を最適化しうる。本明細書で使用されるように、端末からネットワークまでの送信は「アップリンク」（ＵＬ）と称されうる。アップリンク・データ送信方法は、数メガ・ビット／秒のデータ・レートを可能にしうる。ＨＳＰＡ＋は、３ＧＰＰ仕様のリリース７で指定されたようなアップリンクおよびダウンリンクの両方においてさらなる改善をもたらす。高速パケット・アクセス（ＨＳＰＡ）方法は、一般に、例えばボイス・オーバＩＰ（ＶｏＩＰ）アプリケーション、ビデオ会議アプリケーション、およびモバイル・オフィス・アプリケーションのように、大量のデータを送信するデータ・サービスにおけるダウンリンクとアップリンクとの両方における高速なインタラクションを考慮する。
【００２４】
例えばハイブリッド自動反復要求（ＨＡＲＱ）のような高速データ送信プロトコルは、アップリンクとダウンリンクとで使用されうる。例えばハイブリッド自動的反復要求（ＨＡＲＱ）のようなプロトコルによって、受信者は、誤って受信したパケットの再送信を自動的に要求することができる。
【００２５】
さまざまな実施形態が、本明細書では、アクセス端末に関連して記述される。アクセス端末はまた、システム、加入者ユニット、加入者局、モバイル局、モバイル、遠隔局、遠隔端末、モバイル・デバイス、ユーザ端末、端末、無線通信デバイス、ユーザ・エージェント、ユーザ・デバイス、またはユーザ機器（ＵＥ）とも称されうる。アクセス端末は、セルラ電話、コードレス電話、セッション開始プロトコル（ＳＩＰ）電話、ワイヤレス・ローカル・ループ（ＷＬＬ）局、携帯情報端末（ＰＤＡ）、無線接続機能を有するハンドヘルド・デバイス、コンピューティング・デバイス、あるいは無線モデムに接続されたその他の処理デバイスでありうる。さらに、本明細書では、さまざまな実施形態が、基地局に関連して記載される。基地局は、アクセス端末（単数または複数）と通信するために利用することができ、アクセス・ポイント、ノードＢ、イボルブド・ノードＢ（ｅＮｏｄｅＢ）、アクセス・ポイント基地局、あるいはその他のいくつかの用語で称されうる。
【００２６】
図１に示すように、本明細書に記載されたさまざまな実施形態にしたがった無線通信システム１００が例示されている。システム１００は、複数のアンテナ・グループを含むことができる基地局１０２を含む。例えば、１つのアンテナ・グループは、アンテナ１０４およびアンテナ１０６を含むことができ、別のグループはアンテナ１０８およびアンテナ１１０を備えることができ、さらに別のグループはアンテナ１１２およびアンテナ１１４を含むことができる。おのおののアンテナ・グループについて２本のアンテナしか例示されていないが、２本より多いアンテナ、または２本より少ないアンテナも、各グループのために利用されうる。基地局１０２はさらに、送信機チェーンおよび受信機チェーンを含みうる。それらおのおのは、当業者によって理解されるように、信号の送信および受信に関連する複数の構成要素（例えば、プロセッサ、変調器、マルチプレクサ、復調器、デマルチプレクサ、アンテナなど）を備えうる。
【００２７】
基地局１０２は、アクセス端末１１６およびアクセス端末１２２のような１または複数のアクセス端末と通信しうる。しかしながら、基地局１０２は、アクセス端末１１６、１２２に類似の実質的に任意の数のアクセス端末と通信しうることが認識されるべきである。アクセス端末１１６およびアクセス端末１２２は、例えば、セルラ電話、スマート・フォン、ラップトップ、ハンドヘルド通信デバイス、ハンドヘルド・コンピューティング・デバイス、衛星ラジオ、全地球測位システム、ＰＤＡ、および／または、無線通信システム１００による通信に適したその他任意のデバイスでありうる。図示するように、アクセス端末１１６は、アンテナ１１２、１１４と通信しており、ここでは、アンテナ１１２およびアンテナ１１４が、順方向リンク１１８によってアクセス端末１１６へ情報を送信し、逆方向リンク１２０によってアクセス端末１１６から情報を受信する。さらに、アクセス端末１２２は、アンテナ１０４、１０６と通信しており、ここでは、アンテナ１０４およびアンテナ１０６が、順方向リンク１２４によってアクセス端末１２２へ情報を送信し、逆方向リンク１２６によってアクセス端末１２２から情報を受信する。周波数分割デュプレクス（ＦＤＤ）システムでは、例えば、順方向リンク１１８は、逆方向リンク１２０によって使用されるものとは異なる周波数帯域を使用し、順方向リンク１２４は、逆方向リンク１２６によって使用されるものとは異なる周波数帯域を使用することができる。さらに、時分割デュプレクス（ＴＤＤ）システムでは、順方向リンク１１８および逆方向リンク１２０は、共通の周波数帯域を使用し、順方向リンク１２４および逆方向リンク１２６は、共通の周波数帯域を使用することができる。
【００２８】
通信するように指定された領域および／またはアンテナのおのおののグループは、基地局１０２のセクタと称されうる。例えば、基地局１０２によってカバーされる領域のセクタ内のアクセス端末に通信するように、複数のアンテナが設計されうる。順方向リンク１１８および順方向リンク１２４による通信では、基地局１０２の送信アンテナは、アクセス端末１１６およびアクセス端末１２２のための順方向リンク１１８および順方向リンク１２４の信号対雑音比を改善するためにビームフォーミングを適用することができる。また、基地局１０２が、関連付けられた有効通信範囲にランダムに散在したアクセス端末１１６、１２２に送信するためにビームフォーミングを利用している間、近隣セル内のモバイル・デバイスは、すべてのアクセス端末に対して単一のアンテナによって送信している基地局に比べて、少ない干渉しか被らない。
【００２９】
図２は、無線通信システム２００の例を示す。無線通信システム２００は、簡潔さの目的のため、１つの基地局２１０と１つのアクセス端末２５０しか示していない。しかしながら、システム２００は、１より多い基地局、および／または、１より多いアクセス端末を含みうることが認識されるべきである。ここで、追加の基地局および／またはアクセス端末は、以下に示す基地局２１０およびアクセス端末２５０の例と実質的に類似しうるか、あるいは、異なりうる。さらに、基地局２１０および／またはアクセス端末２５０は、この間の無線通信を容易にするために、本明細書で記載されたシステムおよび／または方法を適用しうることが認識されるべきである。
【００３０】
基地局２１０では、多くのデータ・ストリームのためのトラフィック・データが、データ・ソース２１２から送信（ＴＸ）データ・プロセッサ２１４へ提供される。一例によれば、おのおののデータ・ストリームが、それぞれのアンテナを介して送信される。ＴＸデータ・プロセッサ２１４は、トラフィック・データ・ストリームをフォーマットし、このデータ・ストリームのために選択された特定の符号化スキームに基づいて符号化し、インタリーブして、符号化されたデータを提供する。
【００３１】
おのおののデータ・ストリームの符号化されたデータは、直交周波数分割多重化（ＯＦＤＭ）技術を用いてパイロット・データと多重化されうる。さらに、あるいは、その代わりに、パイロット・シンボルは、周波数分割多重化（ＦＤＭ）、時分割多重化（ＴＤＭ）、あるいは符号分割多重化（ＣＤＭ）されうる。パイロット・データは、一般には、周知の方式で処理される既知のデータ・パターンであり、チャネル応答を推定するために、アクセス端末２５０において使用されうる。おのおののデータ・ストリームについて多重化されたパイロットおよび符号化されたデータは、データ・ストリームのために選択された特定の変調スキーム（例えば、バイナリ・フェーズ・シフト・キーイング（ＢＰＳＫ）、直交フェーズ・シフト・キーイング（ＱＰＳＫ）、Ｍフェーズ・シフト・キーイング（Ｍ−ＰＳＫ）、Ｍ直交振幅変調（Ｍ−ＱＡＭ）等）に基づいて変調（例えば、シンボル・マップ）され、変調シンボルが提供される。おのおののデータ・ストリームのデータ・レート、符号化、および変調は、プロセッサ２３０によって実行または提供される指示によって決定されうる。
【００３２】
データ・ストリームの変調シンボルは、（例えば、ＯＦＤＭのために）変調シンボルを処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。さまざまな実施形態において、ＴＸ  ＭＩＭＯプロセッサ２２０は、データ・ストリームのシンボル、および、そのシンボルが送信されるアンテナへ、ビームフォーミング重みを適用する。
【００３３】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。さらに、送信機２２２ａ乃至２２２ｔからのＮＴ個の変調信号は、その後、ＮＴ個のアンテナ２２４ａ乃至２２４ｔからそれぞれ送信される。
【００３４】
アクセス端末２５０では、送信された変調信号が、ＮＲ個のアンテナ２５２ａ乃至２５２ｒによって受信され、これら受信された信号が、おのおののアンテナ２５２から、それぞれの受信機（ＲＣＶＲ）２５４ａ乃至２５４ｒへ提供される。おのおのの受信機２５４は、それぞれの信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３５】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、検出されたおのおののシンボル・ストリームを復調し、デインタリーブし、復号して、そのデータ・ストリームのためのトラフィック・データを復元する。ＲＸデータ・プロセッサ２６０による処理は、基地局２１０におけるＴＸ  ＭＩＭＯプロセッサ２２０およびＴＸデータ・プロセッサ２１４によって実行されるものと相補的である。
【００３６】
プロセッサ２７０は、上述したように、利用可能などの技術を利用するのかを定期的に決定する。さらに、プロセッサ２７０は、行列インデクス部およびランク値部を備えた逆方向リンク・メッセージを規定することができる。
【００３７】
逆方向リンク・メッセージは、通信リンクおよび／または受信されたデータ・ストリームに関するさまざまなタイプの情報を備えうる。逆方向リンク・メッセージは、多くのデータ・ストリームに関するトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３８】
基地局２１０では、アクセス端末２５０からの変調された信号が、アンテナ２２４によって受信され、受信機２２２によって調整され、復調器２４０によって復調され、ＲＸデータ処理装置２４２によって処理されることによって、アクセス端末２５０によって送信された逆方向リンク・メッセージが抽出される。さらに、プロセッサ２３０は、ビームフォーミング重みを決定するためにどの事前符号化行列を使用するかを決定するために、この抽出されたメッセージを処理する。
【００３９】
プロセッサ２３０およびプロセッサ２７０は、基地局２１０およびアクセス端末２５０それぞれにおける動作を指示（例えば、制御、調整、管理等）する。プロセッサ２３０およびプロセッサ２７０はそれぞれ、プログラム・コードおよびデータを格納するメモリ２３２およびメモリ２７２に関連付けられうる。プロセッサ２３０およびプロセッサ２７０はまた、アップリンクおよびダウンリンクそれぞれのための周波数およびインパルス応答推定値を導出する計算をも実行する。
【００４０】
次に図３を参照して、本明細書に記載された態様にしたがってシステム情報ブロックを検出することを容易にする典型的なシステムが例示される。例示するように、システム３００は、基地局３１０、基地局３２０、および無線端末３３０を含む。態様では、システム３００は、ヘテロジニアスなネットワークであり、基地局３１０は、マクロ・イボルブド・ノードＢ（ｅＮＢ）であり、基地局３２０は、フェムト／ピコ・セルに関連付けられたアクセス・ポイント基地局であることが考慮される。このような実施形態内では、無線端末は、基地局３１０からのシステム情報ブロック３１２と、基地局３２０からのシステム情報ブロック３２２との両方を受信すると、干渉を経験する。このような干渉を緩和するために、さまざまな干渉緩和スキームが開示される。
【００４１】
例えば、無線端末が、物理ダウンリンク制御チャネル（ＰＤＣＣＨ）送信を復号する必要無しに、システム情報ブロックを復号することを可能にする干渉緩和スキームが開示される。この目的のために、レガシー無線端末の場合、この無線端末は、システム情報ブロックを復号するために必要なスケジューリング情報（例えば、リソース・ブロック割当、変調および符号化スキーム（ＭＣＳ）等）を取得するために、ＰＤＣＣＨを復号する必要があることが注目される。無線端末が、強い干渉下でＰＤＣＣＨを復号することはチャレンジングなことであるので、無線端末が、ＰＤＣＣＨを復号することなく、スケジューリング情報を取得できるようにする、ＰＤＣＣＨの無い動作に向けられた実施形態が開示される。さらに、無線端末がセル識別子、システム・フレーム番号、またはその他の既知のパラメータから導出しうる既知のリソース・ブロック位置におけるシステム情報ブロック送信に関するスケジューリング情報を、ネットワークが提供する態様が開示される。例えばＭＣＳのようなその他のスケジューリング情報は、無線端末には明示的に知られていない。この場合、無線端末は、ブラインド復号に依存しうる。したがって、無線端末は、干渉元のシステム情報ブロック送信に関するスケジューリング情報に基づいてシステム情報ブロック送信をスケジュールするスケジューリング・スキームのみならず、既知のパラメータを明示的に導出することによって、または、無線端末に既知のパラメータにスケジューリング情報を関連付けるブラインド復号に依存することかの何れかによって、システム情報ブロック復号のために必要なすべてのスケジューリング情報を導出しうる。
【００４２】
ここで、ＰＤＣＣＨの無い動作を認識しないレガシー無線端末が、ＰＤＣＣＨを復号することによってシステム情報ブロック送信のためのスケジューリング情報を取得できるようにする下位互換性のために、未だにＰＤＣＣＨが送信されうることが注目される。しかしながら、非レガシー無線端末（例えば、ＬＴＥリリース９＋）の場合、システム情報ブロック送信のために、ＰＤＣＣＨを復号することは余分なことであろう。
【００４３】
別の態様では、強い干渉下でシステム情報ブロック復号を無線端末が実行できるようにするために、基地局が、システム情報ブロック・スケジューリングを調整するスケジューリング実施形態が開示される。１つのアプローチは、基地局が、システム情報ブロック送信を直交させることである。つまり、基地局が、異なるリソース・ブロック位置において、自己のシステム情報ブロックをスケジュールし、そして、近隣の基地局のシステム情報ブロック・リソース・ブロック位置において、他の何れの物理ダウンリンク共有チャネル（ＰＤＣＣＨ）もスケジュールしないことである。別のアプローチは、基地局が、同じリソース・ブロック位置において、自己のシステム情報ブロックをスケジュールすることである。この場合、無線端末はまず、強い干渉体からのシステム情報ブロックを復号し、この内容をキャンセル・アウトし、その後、より弱いサービス提供セルからのシステム情報ブロックを復号しうる。さらに、システム情報ブロックが衝突することも、衝突しないこともありうる、ハイブリッド・アプローチも可能である。この場合、システム情報ブロックが衝突すると、無線端末は、干渉除去技術を適用しうる。ここでは、無線端末は、例えばシステム・フレーム番号、セル識別子等のような既知のシステム・パラメータによって、衝突ケースと、直交ケースとを区別しうることが注目されるべきである。
【００４４】
次に図４を参照して、実施形態にしたがって、ヘテロジニアスなネットワーク内で、システム情報ブロックを検出することを容易にする典型的なネットワーク・エンティティが例示される。図示するように、ネットワーク・エンティティ４００は、プロセッサ構成要素４１０、メモリ構成要素４２０、スケジューリング構成要素４３０、関連付け構成要素４４０、および通信構成要素４５０を含みうる。ここでは、ネットワーク・エンティティ４００は、例えば、イボルブド・ノードＢ（ｅＮＢ）のような複数のネットワーク・エンティティのうちの何れか内に存在しうることが認識されるべきである。
【００４５】
１つの態様では、プロセッサ構成要素４１０は、複数の機能のうちの何れかを実行することに関連するコンピュータ読取可能な命令群を実行するように構成される。プロセッサ構成要素４１０は、ネットワーク・エンティティ４００から通信されるべき情報の分析、および／または、メモリ構成要素４２０、スケジューリング構成要素４３０、関連付け構成要素４４０、および／または、通信構成要素４５０によって利用される情報の生成、を行う単一のプロセッサであるか、または、複数のプロセッサでありうる。それに加えて、または、その代わりに、プロセッサ構成要素４１０は、ネットワーク・エンティティ４００のうちの１または複数の構成要素を制御するように構成されうる。
【００４６】
別の態様では、メモリ構成要素４２０は、プロセッサ構成要素４１０に接続されており、プロセッサ構成要素４１０によって実行されるコンピュータ読取可能な命令群を格納するように構成される。メモリ構成要素４２０はまた、スケジューリング構成要素４３０、関連付け構成要素４４０、および／または、通信構成要素４５０のうちの何れかによって生成されたものを含む、その他複数のタイプのデータのうちの何れかを格納するようにも構成されうる。メモリ構成要素４２０は、ランダム・アクセス・メモリ、バッテリ・バック・メモリ、ハード・ディスク、磁気テープ等を含む、多くの異なる構成要素で構成されうる。例えば圧縮や自動バックアップ（例えば、独立ドライブの冗長アレイ構成の使用）のような、さまざまな機能もまた、メモリ構成要素４２０において実施されうる。
【００４７】
例示されるように、ネットワーク・エンティティ４００はさらに、スケジューリング構成要素４３０を含みうる。このような実施形態内では、スケジューリング構成要素４３０は、システム情報ブロックに関するスケジューリング情報のタイプを選択するように構成されうる。態様では、このようなシステム情報ブロックは、例えば、タイプ１システム情報ブロック（ＳＩＢ１）またはタイプ２システム情報ブロック（ＳＩＢ２）を含む、複数のタイプのシステム情報ブロックのうちの何れかでありうることが考慮される。さらに、システム情報ブロックに関するスケジューリング情報のタイプは変動しうることが注目されるべきである。例えば、このようなスケジューリング情報は、リソース・ブロック割当および／または変調および符号化スキーム（ＭＣＳ）を含みうる。特定の実施形態では、スケジューリング構成要素４３０は、変調および符号化スキームの選択の可能な数を制限するように構成される。このような実施形態では、この制限によって、無線端末によって実行されるブラインド復号動作を減らすことが容易となる。
【００４８】
別の態様では、ネットワーク・エンティティ４００は、関連付け構成要素４４０を含む。関連付け構成要素４４０は、無線端末による既知のパラメータを、スケジューリング構成要素４３０によって選択されたスケジューリング情報のタイプに関連付けるように構成されている。ここで、このようなパラメータは、物理ダウンリンク制御チャネル送信と独立して、無線端末による既知の複数のパラメータのうちの何れかでありうることが再度注目される。例えば、既知のパラメータは、システム・フレーム番号またはセル識別子でありうる。したがって、既知のパラメータを、スケジューリング情報のタイプに関連付けることによって、無線端末は、物理ダウンリンク制御チャネル送信と独立して、システム情報ブロックを復号しうることが考慮される。
【００４９】
また別の態様では、ネットワーク・エンティティ４００は、通信構成要素４５０を含んでいる。これは、プロセッサ構成要素４１０に接続され、ネットワーク・エンティティ４００を外部エンティティとインタフェースするように構成される。例えば、通信構成要素４５０は、無線端末へシステム情報ブロックを送信するように構成されうる。特定の実施形態では、通信構成要素４５０は、複数の冗長バージョン（ＲＶ）によって、複数の無線端末へ、システム情報ブロックを通信するように構成される。ここでは、複数のＲＶのうちの第１のサブセットが、レガシー無線端末に関連付けられる一方、複数のＲＶのうちの第２のサブセットが、非レガシー無線端末に関連付けられることが考慮される。このような実施形態では、通信構成要素４５０は、既知のパラメータから導出されるスケジューリング情報のサブセットにしたがって、複数のＲＶのうちの第２のサブセットを提供するように構成される。ここで、既知のパラメータは、非レガシー無線端末のうちの少なくとも１つによって知られている。
【００５０】
他の態様では、ネットワーク・エンティティ４００は、近隣のノードに関連付けられたスケジューリング情報を用いることにより、干渉を緩和するように構成されうる。例えば、通信構成要素４５０は、干渉元のシステム情報ブロック送信に関連付けられたスケジューリング情報を確認するように構成されうる。ここで、干渉元のシステム情報ブロック送信は、干渉元の基地局から送信されるようにスケジュールされる。その後、スケジューリング構成要素４３０は、干渉元のシステム情報ブロック送信に関連付けられたスケジューリング情報に基づいて、システム情報ブロック送信（例えば、ＳＩＢ１送信、ＳＩＢ２送信等）をスケジュールするように構成されうる。
【００５１】
この目的のために、スケジューリング構成要素４３０は、複数の方式のうちの何れかで、システム情報ブロック送信をスケジュールするように構成されうることが注目されるべきである。例えば、態様では、スケジューリング構成要素４３０は、このような送信を、干渉元のシステム情報ブロック送信と直交するように構成されうる。特定の実施形態では、このような直交化は、周波数領域で実行される。ここで、スケジューリング構成要素４３０は、オーバラップしないリソース・ブロック割当を用いるように構成される。
【００５２】
別の態様では、スケジューリング構成要素４３０は、システム情報ブロック送信を、干渉元のシステム情報ブロック送信と衝突させるように構成される。例えば、スケジューリング構成要素４３０は、システム情報ブロック送信を、干渉元のシステム情報ブロック送信と衝突させるために、同一のリソース・ブロック割当を用いるように構成されうる。特定の実施形態では、基地局４００は、自己のシステム・フレーム番号を、干渉元のシステム・フレーム番号と同期させるように構成されうる。そして、スケジューリング構成要素４３０は、同期されたシステム・フレーム番号から、リソース・ブロック割当を導出し、これによって、システム情報ブロック送信の衝突を達成しうる。
【００５３】
また、システム情報ブロック送信は、干渉元のシステム情報ブロック送信と部分的に衝突しうることが考慮される。例えば、スケジューリング構成要素４３０は、第１のシステム情報ブロック送信を、第１の干渉元のシステム情報ブロック送信と衝突させ、第２のシステム情報ブロック送信を、第２の干渉元のシステム情報ブロック送信と直交させ、第３のシステム情報ブロック送信を、第３の干渉元のシステム情報ブロック送信と部分的に衝突させるように構成されうる。態様では、スケジューリング構成要素４３０はさらに、無線端末による既知の特定のパラメータにしたがって、リソース・ブロック割当を導出するように構成されうる。例えば、このようなリソース・ブロック割当は、システム・フレーム番号および／またはセル識別子から導出されうる。
【００５４】
図５に移って、実施形態にしたがって、システム情報ブロックを検出することを容易にするシステム５００が例示されている。システム５００および／またはシステム５００を実施するための命令群は、基地局（例えば、ネットワーク・エンティティ４００）内に存在しうる。図示するように、システム５００は、コンピュータ読取可能な記憶媒体からの命令群および／またはデータを用いて、プロセッサによって実施されうる機能を示しうる機能ブロックを含んでいる。システム５００は、連携して動作しうる電子構成要素の論理グループ５０２を含む。例示されるように、論理グループ５０２は、システム情報ブロックに関するスケジューリング情報のタイプを選択するための電子構成要素５１０を含みうる。さらに、論理グループ５０２は、既知のパラメータを、スケジューリング情報のタイプに関連付けるための電子構成要素５１２を含みうる。論理グループ５０２は、また、システム情報ブロックを無線端末へ送信するための電子構成要素５１４を含みうる。さらに、システム５００は、電子構成要素５１０、５１２、５１４に関連付けられた機能を実行するための命令群を保持するメモリ５２０を含みうる。メモリ５２０の外側にあるとして示されているが、電子構成要素５１０、５１２、５１４は、メモリ５２０内に存在しうることが理解されるべきである。
【００５５】
次に図６に示すように、ヘテロジニアスなネットワークにおいてシステム情報ブロックを検出することを容易にする典型的な方法を例示するフロー・チャートが提供される。例示するように、処理６００は、主題とする仕様の態様にしたがって、基地局（例えば、ネットワーク・エンティティ４００）内で実行されうる一連の動作を含んでいる。例えば、処理６００は、これら一連の動作を実施するために、コンピュータ読取可能な記憶媒体に格納されたコンピュータ実行可能な命令群を実行するためのプロセッサを適用することにより実施されうる。別の実施形態では、少なくとも１つのコンピュータに対して、一連の処理６００を実行させるためのコードを備えたコンピュータ読取可能な記憶媒体が考慮される。
【００５６】
態様では、処理６００は、動作６１０において、無線端末との通信が確立されることで始まる。動作６２０では、処理６００は、特定の干渉緩和スキームを選択することで継続する。前述するように、複数の干渉緩和スキームのうちの何れか（例えば、直交スケジューリング、衝突スケジューリング、部分的衝突スケジューリング等）が実施されることが考慮される。ここで、スケジューリング情報を、無線端末に既知のパラメータに関連付けるために、ＰＤＣＣＨの無いスキームが使用されうる。ＰＤＣＣＨの無いスキームが用いられた場合、変調および符号化スキームの選択は、無線端末におけるブラインド復号の数を減らすように制約される。
【００５７】
干渉緩和スキームが選択されると、処理９００は、その後、動作６３０に進み、システム情報ブロック送信に向けられたスケジューリング情報のタイプ（例えば、変調および符号化スキーム（ＭＣＳ））が選択される。ここで、ＭＣＳの選択は、オプションとして、制約される。処理６００はその後、動作６４０に進む。ここでは、これらを、無線端末に既知のパラメータに関連付けることによって、その他のスケジューリング情報（例えば、処理ブロック割当）が決定される。その後、システム情報ブロック送信は、動作６５０において、決定されたスケジューリング情報にしたがってスケジュールされ、その後、動作６６０において、無線端末へ送信される。
【００５８】
ここで、例えば、直交スケジューリング、衝突スケジューリング、および／または、部分的衝突スケジューリングを含むさまざまなタイプのスケジューリング・スキームのうちの何れかが、リソース・ブロック割当がどのようにして決定されるかに依存して実施されることに着目されるべきである。例えば、すべての基地局が、システム・フレーム番号からリソース・ブロック割当を導出しており、システム・フレーム番号が、基地局にわたって同期されている場合、すべてのシステム情報ブロック送信が、衝突するだろう。一方、おのおのの基地局が、自己のセル識別子の機能に基づいて、リソース・ブロック割当を導出すると、使用されている機能の性質に依存して、完全衝突、直交、および／または、部分的衝突による送信が達成されうる。
【００５９】
次に図７に示すように、ブロック図が、さまざまな態様にしたがってシステム情報ブロックを検出することを容易にする典型的な無線端末を例示する。図示するように、無線端末７００は、プロセッサ構成要素７１０、メモリ構成要素７２０、通信構成要素７３０、導出構成要素７４０、制約構成要素７５０、復号構成要素７６０、検出構成要素７７０、および除去構成要素７８０を含みうる。
【００６０】
プロセッサ構成要素７１０は、ネットワーク・エンティティ４００内のプロセッサ構成要素４１０に類似して、複数の機能のうちの何れかを実行することに関連するコンピュータ読取可能な命令群を実行するように構成される。プロセッサ構成要素７１０は、無線端末７００から通信されるべき情報を分析することと、および／または、メモリ構成要素７２０、通信構成要素７３０、導出構成要素７４０、制約構成要素７５０、復号構成要素７６０、検出構成要素７７０、および／または、除去構成要素７８０によって利用されうる情報を生成することと、に特化された単一のプロセッサまたは複数のプロセッサでありうる。それに加えて、または、その代わりに、プロセッサ構成要素７１０は、無線端末７００のうちの１または複数の構成要素を制御するように構成されうる。
【００６１】
別の態様では、メモリ構成要素７２０は、プロセッサ構成要素７１０に接続されており、プロセッサ構成要素７１０によって実行されるコンピュータ読取可能な命令群を格納するように構成される。メモリ構成要素７２０はまた、通信構成要素７３０、導出構成要素７４０、制約構成要素７５０、復号構成要素７６０、検出構成要素７７０、および／または、除去構成要素７８０のうちの何れかによって生成されたデータを含むその他の複数のタイプのデータのうちの何れかを格納するように構成されうる。ここで、メモリ構成要素７２０は、ネットワーク・エンティティ４００内のメモリ構成要素４２０と類似していることが注目されるべきである。したがって、メモリ構成要素４２０の前述した機能／構成のうちの何れかはまた、メモリ構成要素７２０にも適用可能であることが認識されるべきである。
【００６２】
別の態様では、無線端末７００は、通信構成要素７３０を含んでいる。これは、プロセッサ構成要素７１０に接続され、無線端末７００を外部エンティティとインタフェースするように構成される。例えば、通信構成要素７３０は、システム情報ブロック（例えば、ＳＩＢ１送信、ＳＩＢ２送信等）の送信を受信するように構成されうる。特定の実施形態では、システム情報ブロック送信は、複数の冗長バージョンで受信される。このような実施形態内では、通信構成要素７３０は、レガシー無線端末に関連付けられた複数の冗長バージョンの第１のサブセットを、非レガシー無線端末に関連付けられた複数の冗長バージョンの第２のサブセットと区別するように構成される。ここで、第２のサブセットによって提供されたシステム情報ブロック送信は、物理ダウンリンク制御チャネル送信を復号する必要無く、無線端末７００によって復号されうる一方、第１のサブセットによって提供されたシステム情報ブロック送信は、物理ダウンリンク制御チャンネル送信を復号することを必要としうることが考慮される。
【００６３】
例示されるように、無線端末７００は、導出構成要素７４０をも含みうる。
【００６４】
このような実施形態内では、導出構成要素７４０は、無線端末７００に既知の少なくとも１つのパラメータから、システム情報ブロック送信に関連付けられたスケジューリング情報のタイプを導出するように構成される。ここで、導出されたスケジューリング情報のタイプは、例えばリソース・ブロック情報を含む、さまざまなタイプのスケジューリング情報を含む一方、無線端末７００に既知の少なくとも１つのパラメータは、例えば、システム・フレーム番号またはセル識別子を含む、さまざまなタイプの既知のパラメータを含みうることが注目されるべきである。
【００６５】
別の態様では、無線端末７００は、制約構成要素７５０を含みうる。これは、第２のタイプのスケジューリング情報に関連付けられた制約を特定するように構成されている。ここで、複数の制約のうちの何れかが実施されうることが考慮される。例えば、特定の実施形態では、この制約は、可能な数の変調および符号化スキーム選択を制限することに関連付けられている。ここで、無線端末７００によって実行されるブラインド復号動作を減らすことが、この制限によって容易とされる。
【００６６】
無線端末７００はまた、復号構成要素７５０を含みうる。このような実施形態内では、復号構成要素７５０は、導出構成要素７３０によって導出されたスケジューリング情報のタイプに基づいて、システム情報ブロックを復号するように構成される。さらに、既知のパラメータから、スケジューリング情報のタイプを導出することによって、復号構成要素７５０は、物理ダウンリンク制御チャネル送信と独立して、システム情報ブロックを復号しうる。
【００６７】
さらなる態様では、無線端末７００は、完全に衝突するか、部分的に衝突するシステム情報ブロックを受信すると、干渉除去技術を実行するように構成されうることが考慮される。例えば、通信構成要素７３０は、第１の基地局から、第１のシステム情報ブロックを受信し、第２の基地局から、第２のシステム情報ブロックを受信するように構成されうる。ここで、第１のシステム情報ブロックまたは第２のシステム情報ブロックのうちの何れかは、（例えば、ＳＩＢ１、ＳＩＢ２等のような）さまざまなタイプのシステムのうちの何れかでありうる。その後、検出構成要素７７０が、第１のシステム情報ブロックと第２のシステム情報ブロックとの間の衝突を検出するように構成される。態様では、検出構成要素は、例えば、システム・フレーム番号またはセル識別子を含みうる無線端末７００に既知のパラメータを分析するように構成される。この実施形態の場合、除去構成要素７８０は、衝突の検出に基づいて、第１のシステム情報ブロックから復号された内容に対応する再構築されたシンボルを除去するように構成される一方、復号構成要素７６０は、第１のシステム情報ブロックから復号された内容に対応する再構築されたシンボルが除去されると、第２のシステム情報ブロックを復号するように構成される。
【００６８】
図８に移って、実施形態にしたがってシステム情報ブロックを検出することを容易にするシステム８００が例示されている。システム８００および／またはシステム８００を実施するための命令群は、ユーザ機器（例えば、無線端末７００）内に存在しうる。図示するように、システム８００は、コンピュータ読取可能な記憶媒体からの命令群および／またはデータを用いて、プロセッサによって実現されうる機能を示しうる機能ブロックを含んでいる。システム８００は、連携して動作しうる電子構成要素の論理グループ８０２を含む。例示するように、論理グループ８０２は、システム情報ブロックの送信を受信するための電子構成要素８１０のみならず、少なくとも１つの既知のパラメータからの送信に関連付けられたスケジューリング情報のタイプを導出するための電子構成要素８１２を含みうる。さらに、論理グループ８０２は、スケジューリング情報のタイプに基づいて、システム情報ブロックを復号するための電子構成要素８１４を含みうる。さらに、システム８００は、電子構成要素８１０、８１２、８１４に関連付けられた機能を実行するための命令群を保持するメモリ８２０を含みうる。メモリ８２０の外側にあるとして示されているが、電子構成要素８１０、８１２、８１４は、メモリ８２０内に存在しうることが理解されるべきである。
【００６９】
次に図９に示すように、ヘテロジニアスなネットワークにおいてシステム情報ブロックを検出することを容易にする典型的な方法を例示するフロー・チャートが提供される。例示するように、処理９００は、主題とする仕様の態様にしたがって、ユーザ機器（例えば、無線端末７００）のさまざまな構成要素によって実行されうる一連の動作を含んでいる。処理９００は、これら一連の動作を実施するために、コンピュータ読取可能な記憶媒体に格納されたコンピュータ実行可能命令群を実行する、少なくとも１つのプロセッサを適用することにより実施されうる。別の実施形態では、少なくとも１つのコンピュータに対して、一連の処理９００を実行させるためのコードを備えたコンピュータ読取可能な記憶媒体が考慮される。
【００７０】
態様では、処理９００は、動作９１０において、ネットワークとの通信が確立されることで始まる。次に、動作９２０では、システム情報ブロックが受信される。ここでは、このようなシステム情報ブロックが、サービス提供ノードからのみならず、干渉元のノードからも受信されうる。したがって、態様では、サービス提供ノードと干渉元のノードとの両方のためのスケジューリング情報が、既知のパラメータから導出される。すなわち、動作９２５において、サービス提供ノードのためのスケジューリング情報が導出される一方、動作９３０において、干渉元のノードのためのスケジューリング情報が導出される。
【００７１】
前述したように、直交スケジューリング、完全衝突スケジューリング、または部分的衝突スケジューリングにしたがって、ヘテロジニアスなネットワーク内でシステム情報ブロックがスケジュールされる実施形態が考慮される。したがって、処理９００は、動作９４０において、サービス提供ノードからのシステム情報ブロック送信が、干渉元のノードからのシステム情報ブロック送信と衝突するかを判定することによって進む。システム情報ブロック送信が衝突しないと判定された場合、処理９００は、動作９４５に進み、ここでは、サービス提供スケジューリング情報に関連付けられた制約が特定される。その後、動作９５５において、サービス提供システム情報ブロックの復号がなされる。
【００７２】
しかしながら、システム情報ブロック送信が衝突すると判定された場合、処理９００は、動作９５０に進み、干渉元のスケジューリング情報に関連付けられた制約が特定される。干渉元のシステム情報ブロックは、その後、動作９６０において復号される。その後、動作９７０において、干渉元のシステム情報ブロックが除去される。その後、処理９００は動作９４５に進む。ここでは、サービス提供スケジューリング情報に関連付けられた制約が特定され、その後、動作９５５において、サービス提供システム情報ブロックが復号される。
【００７３】
（典型的な無線通信システム）  
次に図１０に移って、複数のセル（例えば、セル１００２、セル１００４）を有する典型的な通信システム１０００が例示される。ここでは、近隣のセル１００２、１００４は、セル境界領域１０６８によって示されるように、わずかにオーバラップし、これによって、近隣のセル内の基地局によって送信された信号間の信号干渉の可能性が生じることが注目されるべきである。システム１０００のセル１００２、１００４はおのおの、３つのセクタを含んでいる。複数のセクタに細分化されていないセル（Ｎ＝１）、２つのセクタを有するセル（Ｎ＝２）、および、３より多いセクタを有するセル（Ｎ＞３）もまた利用されうる。セル１００２は、第１のセクタであるセクタＩ  １０１０、第２のセクタであるセクタＩＩ  １０１２、および第３のセクタであるセクタＩＩＩ  １０１４を含んでいる。セクタ１０１０、１０１２、および１０１４はおのおの２つのセクタ境界領域を有する。おのおのの境界領域は、２つの隣接セクタで共有される。
【００７４】
近隣のセクタの基地局によって送信された信号間の干渉が、境界領域で生じうる。ライン１０１６は、セクタＩ  １０１０とセクタＩＩ  １０１２との間のセクタ境界領域を示し、ライン１０１８は、セクタＩＩ  １０１２とセクタＩＩＩ  １０１４との間のセクタ境界領域を示し、ライン１０２０は、セクタＩＩＩ  １０１４とセクタＩ  １０１０との間のセクタ境界領域を示す。同様に、セルＭ  １００４は、第１のセクタであるセクタＩ  １０２２と、第２のセクタであるセクタＩＩ  １０２４と、第３のセクタであるセクタＩＩＩ  １０２６とを含んでいる。ライン１０２８は、セクタＩ  １０２２とセクタＩＩ  １０２４との間のセクタ境界領域を示し、ライン１０３０は、セクタＩＩ  １０２４とセクタＩＩＩ  １０２６との間のセクタ境界領域を示し、ライン１０３２は、セクタＩＩＩ  １０２６とセクタＩ  １０２２との間のセクタ境界領域を示す。セルＩ  １００２は、基地局（ＢＳ）である基地局Ｉ  １００６と、おのおののセクタ１０１０、１０１２、１０１４内の複数のエンド・ノード（ＥＮ）とを含む。セクタＩ  １０１０は、無線リンク１０４０、１０４２によってそれぞれＢＳ１００６に接続されたＥＮ（１）１０３６およびＥＮ（Ｘ）１０３８を含んでいる。セクタＩＩ  １０１２は、無線リンク１０４８、１０５０によってそれぞれＢＳ１００６に接続されたＥＮ（１’）１０４４およびＥＮ（Ｘ’）１０４６を含んでいる。セクタＩＩＩ  １０１４は、無線リンク１０５６、１０５８によってそれぞれＢＳ１００６に接続されたＥＮ（１’’）１０５２およびＥＮ（Ｘ’’）１０５４を含んでいる。同様に、セルＭ１００４は、基地局Ｍ１００８と、おのおののセクタ１０２２、１０２４、１０２６内の複数のエンド・ノード（ＥＮ）とを含む。セクタＩ  １０２２は、無線リンク１０４０’、１０４２’によってそれぞれＢＳ  Ｍ  １００６に接続されたＥＮ（１）１０３６’およびＥＮ（Ｘ）１０３８’を含んでいる。セクタＩＩ  １０２４は、無線リンク１０４８’、１０５０’によってそれぞれＢＳ  Ｍ  １００８に接続されたＥＮ（１’）１０４４’およびＥＮ（Ｘ’）１０４６’を含んでいる。セクタＩＩＩ  １０２６は、無線リンク１０５６’、１０５８’によってそれぞれＢＳ１００８に接続されたＥＮ（１’’）１０５２’およびＥＮ（Ｘ’’）１０５４’を含んでいる。
【００７５】
システム１０００はまた、ネットワーク・リンク１０６２、１０６４によってＢＳ  Ｉ  １００６およびＢＳ  Ｍ  １００８にそれぞれ接続されたネットワーク・ノード１０６０をも含んでいる。ネットワーク・ノード１０６０はまた、例えば、その他の基地局、ＡＡＡサーバ・ノード、中間ノード、ルータ等のようなその他のネットワーク・ノードや、インターネットに、ネットワーク・リンク１０６６を介して接続されている。ネットワーク１０６２、１０６４、１０６６は、例えば、光ファイバ・ケーブルでありうる。例えばＥＮ  １  １０３６のようなおのおののエンド・ノードは、送信機のみならず受信機を含む無線端末でありうる。例えばＥＮ（１）１０３６のような無線端末は、システム１００内を移動し、このＥＮが現在の位置しているセル内の基地局と、無線リンクを介して通信しうる。例えばＥＮ（１）１０３６のような無線端末（ＷＴ）は、例えばＢＳ１００６のような基地局、および／または、ネットワーク・ノード１０６０を介して、システム１０００内またはシステム１０００外のその他のＷＴのようなピア・ノードと通信しうる。例えばＥＮ（１）１０３６のようなＷＴは、例えば、セルラ電話、無線モデムを備えた情報携帯端末等のようなモバイル通信デバイスでありうる。それぞれの基地局は、ストリップ・シンボル期間のための方法を用いて、トーン・サブセット割当を実行しうる。この方法は、例えば非ストリップ・シンボル期間のような、残りのシンボル期間におけるトーンの割り当てと、トーン・ホッピングの決定とのために適用される方法とは異なる。無線端末は、例えば、基地局スロープＩＤ、セクタＩＤ情報のような、基地局から受信した情報とともに、トーン・サブセット割当方法を用いて、特定のストリップ・シンボル期間においてデータおよび情報を受信するために適用しうるトーンを決定する。トーン・サブセット割当シーケンスは、セル間干渉およびセル内干渉をそれぞれのトーンにわたって拡散するためのさまざまな態様にしたがって構築される。主題とするシステムは、主としてセルラ・モードのコンテキストで記載されているが、本明細書に記載された態様にしたがって、複数のモードが利用可能および適用可能であることが認識されるべきである。
【００７６】
（典型的な基地局）  
図１１は、基地局１１００の例を例示する。基地局１１００は、それぞれ異なるセクタ・タイプのセルのために生成された異なるトーン・サブセット割当シーケンスを用いて、トーン・サブセット割当シーケンスを実施する。基地局１１００は、図１０のシステム１０００の基地局１００６、１００８のうちの任意の１つとして使用されうる。基地局１１００は、受信機１１０２、送信機１１０４、例えばＣＰＵのようなプロセッサ１１０６、入力／出力インタフェース１１０８、およびメモリ１１１０を含む。これらは、要素１１０２、１１０４、１１０６、１１０８、１１１０がデータおよび情報を交換しうるバス１１０９によってともに接続されている。
【００７７】
受信機１１０２に接続されたセクタ・アンテナ１１０３は、基地局のセル内のおのおののセクタからの無線端末送信から、データや、例えば、チャネル・レポートのようなその他の信号を受信するために使用される受信機１１０２に接続されている。送信機１１０４に接続されたセクタ・アンテナ１１０５は、基地局のセルのおのおののセクタ内の無線端末１２００（図１２参照）へ、データ、および、例えば、制御信号、パイロット信号、ビーコン信号等のようなその他の信号を送信するために使用される。さまざまな態様において、基地局１１００は、例えば、おのおののセクタの個々の受信機１１０２およびおのおののセクタのための個々の送信機１１０４のように、複数の受信機１１０２および複数の送信機１１０４を適用しうる。プロセッサ１１０６は、例えば一般的な中央処理装置（ＣＰＵ）でありうる。プロセッサ１１０６は、メモリ１１１０に格納された１または複数のルーチン１１１８の指示の下、基地局１１００の動作を制御し、方法を実施する。Ｉ／Ｏインタフェース１１０８は、他のネットワーク・ノードへの接続、ＢＳ１１００の他の基地局、アクセス・ルータ、ＡＡＡサーバ・ノード等、他のネットワーク、およびインターネットへのカップリングを提供する。メモリ１１１０は、ルーチン１１１８およびデータ／情報１１２０を含んでいる。
【００７８】
データ／情報１１２０は、データ１１３６と、ダウンリンク・ストリップ・シンボル時間情報１１４０およびダウンリンク・トーン情報１１４２を含むトーン・サブセット割当シーケンス情報１１３８と、ＷＴ  １  情報１１４６およびＷＴ  Ｎ  情報１１６０のような複数のＷＴ情報のセットを含む無線端末（ＷＴ）データ／情報１１４４とを含む。例えばＷＴ  １  情報１１４６のようなＷＴ情報のおのおののセットは、データ１１４８、端末ＩＤ１１５０、セクタＩＤ１１５２、アップリンク・チャネル情報１１５４、ダウンリンク・チャネル情報１１５６、およびモード情報１１５８を含む。
【００７９】
ルーチン１１１８は、通信ルーチン１１２２と基地局制御ルーチン１１２４とを含んでいる。基地局制御ルーチン１１２４は、スケジューラ・モジュール１１２６と、ストリップ・シンボル期間のためのトーン・サブセット割当ルーチン１１３０、例えば非ストリップ・シンボル期間のような残りのストリップ期間のためのその他のダウンリンク・トーン割当ホッピング・ルーチン１１３２、およびビーコン・ルーチン１１３４を含むシグナリング・ルーチン１１２８と、を含む。
【００８０】
データ１１３６は、ＷＴへの送信前に符号化するために、送信機１１０４のエンコーダ１１１４へ送信されるべきデータと、受信後に受信機１１０２のデコーダ１１１２によって処理された、ＷＴからの受信データとを含む。ダウンリンク・ストリップ・シンボル時間情報１１４０は、例えば、スーパスロット構造情報、ビーコンスロット構造情報、およびウルトラスロット構造情報のようなフレーム同期構造情報と、所与のシンボル期間が、ストリップ・シンボル期間であるかを明示し、所与のシンボル期間が、ストリップ・シンボル期間である場合、ストリップ・シンボル期間のインデクスと、このストリップ・シンボルが、基地局によって使用されるトーン・サブセット割当シーケンスを切り詰めるためのリセット・ポイントであるかを明示する情報と、を含む。ダウンリンク・トーン情報１１４２は、基地局１１００に割り当てられたキャリア周波数、トーンの数および周波数、および、ストリップ・シンボル期間に割り当てられるべきトーン・サブセットのセットを含む情報と、例えば、スロープ、スロープ・インデクス、およびセクタ・タイプのような、その他のセルおよびセクタ特有の値と、を含む。
【００８１】
データ１１４８は、ＷＴ  １  １２００がピア・ノードから受信したデータ、ＷＴ  １  １２００がピア・ノードに送信されることを望むデータ、および、ダウンリンク・チャネル品質レポート・フィードバック情報を含みうる。端末ＩＤ１１５０は、ＷＴ  １  １２００を識別する、基地局１１００によって割り当てられたＩＤである。セクタＩＤ１１５２は、ＷＴ  １  １２００が動作しているセクタを識別する情報を含んでいる。セクタＩＤ１１５２は、例えば、セクタ・タイプを決定するために使用されうる。アップリンク・チャネル情報１１５４は、例えば、データのためのアップリンク・トラフィック・チャネル・セグメント、要求、電力制御、タイミング制御等のために特化されたアップリンク制御チャネルのように、ＷＴ  １  １２００が使用するために、スケジューラ１１２６によって割り当てられたチャネル・セグメントを識別する情報を含む。ＷＴ  １  １２００に割り当てられたおのおののアップリンク・チャネルは、１または複数の論理トーンを含んでいる。おのおのの論理トーンは、アップリンク・ホッピング・シーケンスに従う。ダウンリンク・チャネル情報１１５６は、例えば、ユーザ・データのためのダウンリンク・トラフィック・チャネル・セグメントのように、ＷＴ  １  １２００にデータおよび／または情報を伝送するために、スケジューラ１１２６によって割り当てられたチャネル・セグメントを識別する情報を含む。ＷＴ  １  １２００に割り当てられたおのおののダウンリンク・チャネルは、おのおのダウンリンク・ホッピング・シーケンスにしたがう１または複数の論理トーンを含む。モード情報１１５８は、例えば、スリープ、ホールド、オンのような、ＷＴ  １  １２００の動作状態を識別する情報を含む。
【００８２】
通信ルーチン１１２２は、さまざまな通信動作の実行、および、さまざまな通信プロトコルの実施のために、基地局１１００によって利用される。基地局制御ルーチン１１２４は、例えば、信号生成および受信、ならびにスケジューリングのように基本的な基地局機能タスクを実行すること、および、ストリップ・シンボル期間中にトーン・サブセット割当シーケンスを用いて無線端末へ信号を送信することを含むいくつかの態様の方法のステップを実施することのために、基地局１１００を制御するために利用される。
【００８３】
シグナリング・ルーチン１１２８は、デコーダ１１１２を備えた受信機１１０２と、エンコーダ１１１４を備えた送信機１１０４との動作を制御する。シグナリング・ルーチン１１２８は、送信されるデータ１１３６および制御情報の生成の制御を担当する。トーン・サブセット割当ルーチン１１３０は、態様の方法を用いて、および、ダウンリンク・ストリップ・シンボル時間情報１１４０とセクタＩＤ１１５２とを含むデータ／情報１１２０を用いて、ストリップ・シンボル期間で使用されるべきトーン・サブセットを構築する。ダウンリンク・トーン・サブセット割当シーケンスは、セル内のおのおののセクタ・タイプについて異なり、隣接セルについて異なるであろう。ＷＴ１２００は、ダウンリンク・トーン・サブセット割当シーケンスにしたがって、ストリップ・シンボル期間で信号を受信し、基地局１１００は、送信される信号を生成するために、同じダウンリンク・トーン・サブセット割当シーケンスを用いる。その他のダウンリンク・トーン割当ホッピング・ルーチン１１３２は、ストリップ・シンボル期間以外のシンボル期間について、ダウンリンク・トーン情報１１４２とダウンリンク・チャネル情報１１５６とを含む情報を用いて、ダウンリンク・トーン・ホッピング・シーケンスを構築する。ダウンリンク・データ・トーン・ホッピング・シーケンスは、セルのセクタにわたって同期化される。ビーコン・ルーチン１１３４は、例えば、ダウンリンク信号のフレーム・タイミング構造、すなわち、ウルトラスロット境界に関するトーン・サブセット割当シーケンスを同期させるような同期目的のために使用されうる１または少数のトーンに集中された比較的高い電力信号からなる信号であるビーコン信号の送信を制御する。
【００８４】
（典型的な無線端末）  
図１２は、例えば図１０に示されるシステム１０００のＥＮ（１）１０３６のような無線端末（エンド・ノード）のうちの任意の１つとして使用されうる典型的な無線端末（エンド・ノード）１２００を例示する。無線端末１２００は、トーン・サブセット割当シーケンスを実施する。無線端末１２００は、デコーダ１２１２を含む受信機１２０２、エンコーダ１２１４を含む送信機１２０４、プロセッサ１２０６、およびメモリ１２０８を含む。これらは、さまざまな要素１２０２、１２０４、１２０６、１２０８がデータおよび情報を交換するバス１２１０によってともに接続されている。受信機１２０２には、基地局（および／または別の無線端末）からの信号を受信するために使用されるアンテナ１２０３が接続されている。送信機１２０４には、基地局（および／または別の無線端末）からの信号を送信するために使用されるアンテナ１２０５が接続されている。
【００８５】
例えばＣＰＵのようなプロセッサ１２０６は、無線端末１２００の動作を制御する。そして、メモリ１２０８内のルーチン１２２０を実行し、データ／情報１２２２を用いることにより、方法を実施する。
【００８６】
データ／情報１２２２は、ユーザ・データ１２３４、ユーザ情報１２３６、および、トーン・サブセット割当シーケンス情報１２５０を含む。ユーザ・データ１２３４は、ピア・ノードに向けられたデータであって、送信機１２０４によって基地局へ送信される前に、符号化のためにエンコーダ１２１４へ送られるデータと、受信機１２０２内のデコーダ１２１２によって処理され、基地局から受信されたデータと、を含みうる。ユーザ情報１２３６は、アップリンク・チャネル情報１２３８、ダウンリンク・チャネル情報１２４０、端末ＩＤ情報１２４２、基地局ＩＤ情報１２４４、セクタＩＤ情報１２４６、およびモード情報１２４８を含んでいる。アップリンク・チャネル情報１２３８は、無線端末１２０が基地局に送信する場合に使用するために、基地局によって割り当てられたアップリンク・チャネル・セグメントを識別する情報を含む。アップリンク・チャネルは、トラフィック・チャネルや、例えば、要求チャネル、電力制御チャネル、およびタイミング制御チャネルのような専用アップリンク制御チャネルを含みうる。おのおののアップリンク・チャネルは、おのおのアップリンク・トーン・ホッピング・シーケンスにしたがう１または複数の論理トーンを含む。アップリンク・ホッピング・シーケンスは、セルのセクタ・タイプ毎に、および、隣接セル毎に異なる。ダウンリンク・チャネル情報１２４０は、基地局にＷＴ１２００にデータ／情報を送信する場合に使用するために、基地局によって割り当てられたダウンリンク・チャネル・セグメントを識別する情報を含む。ダウンリンク・チャネルは、ダウンリンク・トラフィック・チャネルおよび割当チャネルを含みうる。おのおののダウンリンク・チャネルは、１または複数の論理トーンを含み、おのおのの論理トーンは、セルの各セクタ間で同期されたダウンリンク・ホッピング・シーケンスにしたがう。
【００８７】
ユーザ情報１２３６はまた、基地局が割り当てた識別情報である端末ＩＤ情報１２４２と、ＷＴが通信を確立した特定の基地局を識別する基地局ＩＤ情報１２４４と、ＷＴ１２００が現在位置しているセルの特定のセクタを識別するセクタＩＤ情報１２４６とを含む。基地局ＩＤ１２４４は、セル・スロープ値を提供し、セクタＩＤ情報１２４６は、セクタ・インデクス・タイプを提供し、セル・スロープ値およびセクタ・インデクス・タイプは、トーン・ホッピング・シーケンスを導出するために使用されうる。ユーザ情報１２３６に含まれるモード情報１２４８は、ＷＴ１２００がスリープ・モード、ホールド・モード、またはオン・モードにあるかを識別する。
【００８８】
トーン・サブセット割当シーケンス情報１２５０は、ダウンリンク・ストリップ・シンボル時間情報１２５２およびダウンリンク・トーン情報１２５４を含む。ダウンリンク・ストリップ・シンボル時間情報１２５２は、例えば、スーパスロット構造情報、ビーコンスロット構造情報、およびウルトラスロット構造情報のようなフレーム同期構造情報と、所与のシンボル期間が、ストリップ・シンボル期間であるかを明示し、所与のシンボル期間が、ストリップ・シンボル期間である場合、ストリップ・シンボル期間のインデクスと、このストリップ・シンボルが、基地局によって使用されるトーン・サブセット割当シーケンスを切り詰めるためのリセット・ポイントであるかを明示する情報と、を含む。ダウンリンク・トーン情報１２５４は、基地局に割り当てられたキャリア周波数、トーンの数および周波数、および、ストリップ・シンボル期間に割り当てられるべきトーン・サブセットのセットを含む情報と、例えば、スロープ、スロープ・インデクス、およびセクタ・タイプのような、その他のセルおよびセクタに特有の値とを含む。
【００８９】
ルーチン１２２０は、通信ルーチン１２２４と無線端末制御ルーチン１２２６とを含んでいる。通信ルーチン１２２４は、ＷＴ１２００によって使用されるさまざまな通信プロトコルを制御する。無線端末制御ルーチン１２２６は、受信機１２０２および送信機１２０４の制御を含む基本的な無線端末１２００の機能を制御する。無線端末制御ルーチン１２２６は、シグナリング・ルーチン１２２８を含んでいる。シグナリング・ルーチン１２２８は、ストリップ・シンボル期間のトーン・サブセット割当ルーチン１２３０と、例えば、非ストリップ・シンボル期間のようなシンボル期間の残りのその他のダウンリンク・トーン割当ホッピング・ルーチン１２３２とを含む。トーン・サブセット割当ルーチン１２３０は、いくつかの態様にしたがってダウンリンク・トーン・サブセット割当を生成し、基地局から送信された受信データを処理するために、ダウンリンク・チャネル情報１１５６、例えばスロープ・インデクスおよびセクタ・タイプのような基地局ＩＤ情報１２４４、および、ダウンリンク・トーン情報１２５４を含むユーザ・データ／情報１２２２を用いる。その他のダウンリンク・トーン割当ホッピング・ルーチン１２３２は、ストリップ・シンボル期間以外のシンボル期間について、ダウンリンク・トーン情報１２５４とダウンリンク・チャネル情報１２４０とを含む情報を用いて、ダウンリンク・トーン・ホッピング・シーケンスを構築する。トーン・サブセット割当ルーチン１２３０は、プロセッサ１２０６によって実行された場合、いつ、どのトーンで、無線端末１２００が、基地局１１００から１または複数のストリップ・シンボル信号を受信すべきかを決定するために使用される。アップリンク・トーン割当ホッピング・ルーチン１２３２は、送信すべきトーンを決定するために、基地局から受信した情報とともに、トーン・サブセット割当機能を用いる。
【００９０】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能な媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００９１】
実施形態がプログラム・コードまたはコード・セグメントで実施される場合、コード・セグメントは、手順、機能、サブプログラム、プログラム、ルーチン、サブルーチン、モジュール、ソフトウェア・パッケージ、クラス、あるいは、命令群やデータ構造またはプログラム命令文の任意の組み合わせを表しうることが認識されるべきである。コード・セグメントは、情報、データ、引数、パラメータ、あるいは記憶内容の引渡および／または受信を行うことによって、他のコード・セグメントまたはハードウェア回路に接続されうる。情報、引数、パラメータ、データなどは、メモリ共有、メッセージ引渡し、トークン引渡、ネットワーク送信などを含む任意の適切な手段を用いて引渡、転送、あるいは送信されうる。それに加えて、いくつかの態様では、方法またはアルゴリズムのステップおよび／または動作が、コンピュータ・プログラム製品に組み込まれうるマシン読取可能な媒体および／またはコンピュータ読取可能な媒体における命令群および／またはコードのうちの１つまたは任意の組み合わせまたはセットとして存在しうる。
【００９２】
ソフトウェアで実現する場合、本明細書に記載のこれら技術は、本明細書に記載の機能を実行するモジュール（例えば、手続き、機能等）を用いて実現されうる。ソフトウェア・コードは、メモリ・ユニット内に格納され、プロセッサによって実行されうる。メモリ・ユニットは、プロセッサ内部またはプロセッサ外部に実装されうる。プロセッサ外部に実装される場合、メモリ・ユニットは、当該技術分野で周知のさまざまな手段によってプロセッサと通信可能に接続されうる。
【００９３】
ハードウェアで実施する場合、処理ユニットは、１または複数の特定用途向けＩＣ（ＡＳＩＣ）、デジタル信号プロセッサ（ＤＳＰ）、デジタル信号処理デバイス（ＤＳＰＤ）、プログラマブル論理デバイス（ＰＬＤ）、フィールド・プログラマブル・ゲート・アレイ（ＦＰＧＡ）、プロセッサ、コントローラ、マイクロ・コントローラ、マイクロプロセッサ、本明細書に記載された機能を実行するように設計されたその他の電子ユニット、あるいはこれらの組み合わせ内に実装されうる。
【００９４】
上述したものは、１または複数の実施形態の一例を含んでいる。もちろん、上述した実施形態を説明する目的で、構成要素または方法の考えられるすべての組み合わせを記述することは可能ではないが、当業者であれば、さまざまな実施形態のさらに多くの組み合わせおよび置き換えが可能であることを認識することができる。したがって、記載された実施形態は、特許請求の範囲の精神およびスコープ内にあるそのようなすべての変更、変更、および変形を含むことが意図される。さらにまた、用語「含む」が、詳細説明あるいは特許請求の範囲のうちの何れかで使用されている限り、その用語は、用語「備える」が、請求項における遷移語として適用される場合に解釈される用語「備える」と同様に、包括的であることが意図される。
【００９５】
本明細書で使用されるように、用語「推論する」または「推論」は、一般に、イベントおよび／またはデータによって取得された観察のセットから、システム、環境、および／または、ユーザの状態を推論すること、または、それについて理由付けすることの処理を称する。推論は、特定のコンテキストまたは動作を識別するために適用されるか、あるいは、例えば状態にわたる確率分布を生成しうる。推論は、確率論的、すなわち、データおよびイベントの考慮に基づいて、該当する状態にわたる確率分布を計算することでありうる。推論はまた、イベントおよび／またはデータのセットから、より高いレベルのイベントを構築するために適用される技術を称することができる。そのような推論によって、イベントが時間的に近接していようといまいと、これらイベントおよびデータが１または幾つかのイベント・ソースおよびデータ・ソースに由来していようと、観察されたイベントおよび／または格納されたイベント・データのセットから、新たなイベントまたは動作を構築することができる。
【００９６】
さらに、本願で使用されるように、用語「構成要素」、「モジュール」、「システム」等は、ハードウェア、ファームウェア、ハードウェアとソフトウェアとの組み合わせ、ソフトウェア、あるいは実行中のソフトウェアの何れかであるコンピュータ関連エンティティを称することが意図されている。例えば、構成要素は、限定される訳ではないが、プロセッサ上で実行中のプロセス、プロセッサ、オブジェクト、実行形式、実行スレッド、プログラム、および／またはコンピュータでありうる。例示によれば、コンピューティング・デバイス上で実行中のアプリケーションと、コンピューティング・デバイスとの両方が構成要素となりうる。１または複数の構成要素は、プロセスおよび／または実行スレッド内に存在し、構成要素は、１つのコンピュータに局在化されるか、および／または、複数のコンピュータに分散されうる。さらに、これらの構成要素は、さまざまなデータ構造を格納したさまざまなコンピュータ読取可能な媒体から実行可能である。これら構成要素は、（例えば、信号によってローカル・システムや分散システム内の他の構成要素とインタラクトする１つの構成要素からのデータ、および／または、他のシステムを備えた例えばインターネットのようなネットワークを経由して他の構成要素とインタラクトする１つの構成要素からのデータのような）１または複数のデータのパケットを有する信号にしたがって、ローカル処理および／またはリモート処理によって通信することができる。
なお、以下に、出願当初の特許請求の範囲に記載された発明を付記する。
［発明１］システム情報ブロックを検出することを容易にする方法であって、
前記システム情報ブロックに関するスケジューリング情報のタイプを選択することと、
既知のパラメータを、前記スケジューリング情報のタイプに関連付けることと、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを、無線端末へ送信することと、
を備える方法。
［発明２］前記システム情報ブロックは、タイプ１システム情報ブロック（ＳＩＢ１）である、発明１に記載の方法。
［発明３］前記既知のパラメータは、システム・フレーム番号またはセル識別子である、発明１に記載の方法。
［発明４］前記スケジューリング情報のタイプは、リソース・ブロック割当である、発明１に記載の方法。
［発明５］干渉元のシステム情報ブロックのスケジューリングに関して、前記システム情報ブロックの所望のスケジューリングに基づいて、前記既知のパラメータを決定することをさらに備える、発明４に記載の方法。
［発明６］前記所望のスケジューリングは、直交スケジューリングであり、前記リソース・ブロック割当は、干渉元のリソース・ブロック割当に対して、オーバラップしないリソース・ブロック割当である、発明５に記載の方法。
［発明７］前記所望のスケジューリングは、完全衝突スケジューリングであり、前記リソース・ブロック割当は、干渉元のリソース・ブロック割当に関して、同一のリソース・ブロック割当である、発明５に記載の方法。
［発明８］システム・フレーム番号を、干渉元のシステム・フレーム番号と同期させることをさらに備え、前記同一のリソース・ブロック割当は、前記システム・フレーム番号から導出可能である、発明７に記載の方法。
［発明９］前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、発明５に記載の方法。
［発明１０］第２のタイプのスケジューリング情報を制約することをさらに備える、発明１に記載の方法。
［発明１１］前記制約することは、可能な数の変調および符号化スキーム選択を制限することを備え、前記無線端末によって実行されるブラインド復号動作を減らすことが、前記制限によって容易とされる、発明１０に記載の方法。
［発明１２］前記送信することは、ルールを示すインジケーションを、前記無線端末へ通信することを備え、前記ルールは、前記第２のタイプのスケジューリング情報の制約に関連付けられている、発明１０に記載の方法。
［発明１３］前記送信することは、前記システム情報ブロックを、複数の冗長バージョンによって、複数の無線端末へ通信することを備える、発明１に記載の方法。
［発明１４］前記複数の冗長バージョンの第１のサブセットが、レガシー無線端末に関連付けられ、前記複数の冗長バージョンの第２のサブセットが、非レガシー無線端末に関連付けられた、発明１３に記載の方法。
［発明１５］前記送信することは、前記既知のパラメータから導出されたスケジューリング情報にしたがって、前記複数の冗長バージョンの第２のサブセットを提供することを備え、前記既知のパラメータは、前記非レガシー無線端末のうちの少なくとも１つによって知られている、発明１４に記載の方法。
［発明１６］前記送信することは、ルールを示すインジケーションを、前記無線端末へ通信することを備え、前記ルールは、前記既知のパラメータを、前記スケジューリング情報のタイプに関連付けることに関連付けられている、発明１に記載の方法。
［発明１７］システム情報ブロックを検出することを容易にするように構成された装置であって、
メモリに格納されたコンピュータ実行可能な構成要素を実行するように構成されたプロセッサを備え、
前記構成要素は、
前記システム情報ブロックに関するスケジューリング情報のタイプを選択するように構成されたスケジューリング構成要素と、
既知のパラメータを、前記スケジューリング情報のタイプに関連付けるように構成された関連付け構成要素と、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを無線端末へ送信するように構成された通信構成要素と、
を備える装置。
［発明１８］前記システム情報ブロックは、タイプ１システム情報ブロック（ＳＩＢ１）である、発明１７に記載の装置。
［発明１９］前記既知のパラメータは、システム・フレーム番号またはセル識別子である、発明１７に記載の装置。
［発明２０］前記スケジューリング情報のタイプは、リソース・ブロック割当である、発明１７に記載の装置。
［発明２１］前記関連付け構成要素は、干渉元のシステム情報ブロックのスケジューリングに関して、前記システム情報ブロックの所望のスケジューリングに基づいて、前記既知のパラメータを決定するように構成された、発明２０に記載の装置。
［発明２２］前記所望のスケジューリングは、直交スケジューリングであり、前記リソース・ブロック割当は、干渉元のリソース・ブロック割当に対して、オーバラップしないリソース・ブロック割当である、発明２１に記載の装置。
［発明２３］前記所望のスケジューリングは、完全衝突スケジューリングであり、前記リソース・ブロック割当は、干渉元のリソース・ブロック割当に関して、同一のリソース・ブロック割当である、発明２１に記載の装置。
［発明２４］前記通信構成要素は、システム・フレーム番号を、干渉元のシステム・フレーム番号と同期させるように構成され、前記同一のリソース・ブロック割当は、前記システム・フレーム番号から導出可能である、発明２３に記載の装置。
［発明２５］前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、発明２１に記載の装置。
［発明２６］前記スケジューリング構成要素は、第２のタイプのスケジューリング情報を制約するように構成された、発明１７に記載の装置。
［発明２７］前記スケジューリング構成要素は、可能な数の変調および符号化スキーム選択を制限するように構成され、前記無線端末によって実行されるブラインド復号動作を減らすことが、前記制限によって容易とされる、発明２６に記載の装置。
［発明２８］前記通信構成要素は、ルールを示すインジケーションを、前記無線端末へ通信するように構成され、前記ルールは、前記第２のタイプのスケジューリング情報の制約に関連付けられている、発明２６に記載の装置。
［発明２９］前記通信構成要素は、前記システム情報ブロックを、複数の冗長バージョンによって、複数の無線端末へ通信するように構成された、発明１７に記載の装置。
［発明３０］前記複数の冗長バージョンの第１のサブセットが、レガシー無線端末に関連付けられ、前記複数の冗長バージョンの第２のサブセットが、非レガシー無線端末に関連付けられた、発明２９に記載の装置。
［発明３１］前記通信構成要素は、前記既知のパラメータから導出されたスケジューリング情報にしたがって、前記複数の冗長バージョンの第２のサブセットを提供するように構成され、前記既知のパラメータは、前記非レガシー無線端末のうちの少なくとも１つによって知られている、発明３０に記載の装置。
［発明３２］前記通信構成要素は、ルールを示すインジケーションを、前記無線端末へ通信するように構成され、前記ルールは、前記既知のパラメータを、前記スケジューリング情報のタイプに関連付けることに関連付けられている、発明１７に記載の装置。
［発明３３］システム情報ブロックを検出することを容易にするコンピュータ・プログラム製品であって、
少なくとも１つのコンピュータに対して、
前記システム情報ブロックに関するスケジューリング情報のタイプを選択することと、
既知のパラメータを、前記スケジューリング情報のタイプに関連付けることと、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを、無線端末へ送信することと、
を実行させるためのコードを備えるコンピュータ読取可能な記憶媒体を備える、コンピュータ・プログラム製品。
［発明３４］前記システム情報ブロックは、タイプ１システム情報ブロック（ＳＩＢ１）である、発明３３に記載のコンピュータ・プログラム製品。
［発明３５］前記既知のパラメータは、システム・フレーム番号またはセル識別子である、発明３３に記載のコンピュータ・プログラム製品。
［発明３６］前記スケジューリング情報のタイプは、リソース・ブロック割当である、発明３３に記載のコンピュータ・プログラム製品。
［発明３７］前記スケジューリング情報のタイプは、リソース・ブロック割当である、発明３３に記載のコンピュータ・プログラム製品。
［発明３８］前記コードは、前記少なくとも１つのコンピュータに対して、干渉元のシステム情報ブロックのスケジューリングに関して、前記システム情報ブロックの所望のスケジューリングに基づいて、前記既知のパラメータを決定させる、発明３７に記載のコンピュータ・プログラム製品。
［発明３９］前記所望のスケジューリングは、直交スケジューリングであり、前記リソース・ブロック割当は、干渉元のリソース・ブロック割当に対して、オーバラップしないリソース・ブロック割当である、発明３８に記載のコンピュータ・プログラム製品。
［発明４０］前記所望のスケジューリングは、完全衝突スケジューリングであり、前記リソース・ブロック割当は、干渉元のリソース・ブロック割当に関して、同一のリソース・ブロック割当である、発明３８に記載のコンピュータ・プログラム製品。
［発明４１］前記コードは、前記少なくとも１つのコンピュータに対して、システム・フレーム番号を、干渉元のシステム・フレーム番号と同期させ、ここで、前記同一のリソース・ブロック割当は、前記システム・フレーム番号から導出可能である、発明４０に記載のコンピュータ・プログラム製品。
［発明４２］前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、発明３８に記載のコンピュータ・プログラム製品。
［発明４３］前記コードは、前記少なくとも１つのコンピュータに対して、第２のタイプのスケジューリング情報を制約させる、発明３３に記載のコンピュータ・プログラム製品。
［発明４４］前記コードは、前記少なくとも１つのコンピュータに対して、可能な数の変調および符号化スキーム選択を制限させ、ここで、前記無線端末によって実行されるブラインド復号動作を減らすことが、前記制限によって容易とされる、発明４３に記載のコンピュータ・プログラム製品。
［発明４５］前記コードは、前記少なくとも１つのコンピュータに対して、ルールを示すインジケーションを、前記無線端末へ通信させ、ここで、前記ルールは、前記第２のタイプのスケジューリング情報の制約に関連付けられている、発明４３に記載のコンピュータ・プログラム製品。
［発明４６］システム情報ブロックを検出することを容易にするように構成された装置であって、
前記システム情報ブロックに関するスケジューリング情報のタイプを選択する手段と、
既知のパラメータを、前記スケジューリング情報のタイプに関連付ける手段と、ここで、前記システム情報ブロックの復号は、物理ダウンリンク制御チャネル送信と独立して、前記既知のパラメータを、前記スケジューリング情報のタイプに関連付けることによって容易とされる、
前記システム情報ブロックを、無線端末へ送信する手段と、
を備える装置。
［発明４７］前記既知のパラメータは、システム・フレーム番号またはセル識別子である、発明４６に記載の装置。
［発明４８］前記スケジューリング情報のタイプは、リソース・ブロック割当である、発明４６に記載の装置。
［発明４９］前記関連付ける手段は、干渉元のシステム情報ブロックのスケジューリングに関して、前記システム情報ブロックの所望のスケジューリングに基づいて、前記既知のパラメータを決定するように構成された、発明４８に記載の装置。
［発明５０］前記所望のスケジューリングは、直交スケジューリングであり、前記リソース・ブロック割当は、干渉元のリソース・ブロック割当に対して、オーバラップしないリソース・ブロック割当である、発明４９に記載の装置。
［発明５１］前記所望のスケジューリングは、完全衝突スケジューリングであり、前記リソース・ブロック割当は、干渉元のリソース・ブロック割当に関して、同一のリソース・ブロック割当である、発明４９に記載の装置。
［発明５２］前記送信する手段は、システム・フレーム番号を、干渉元のシステム・フレーム番号と同期させるように構成され、前記同一のリソース・ブロック割当は、前記システム・フレーム番号から導出可能である、発明５１に記載の装置。
［発明５３］前記所望のスケジューリングは、部分的衝突スケジューリングであり、前記リソース・ブロック割当は、干渉元のリソース・ブロック割当に対して、オーバラップするリソース・ブロックと、オーバラップしないリソース・ブロックとを含む、発明４９に記載の装置。
［発明５４］前記送信する手段は、前記システム情報ブロックを、複数の冗長バージョンによって、複数の無線端末へ通信するように構成された、発明４６に記載の装置。
［発明５５］前記複数の冗長バージョンの第１のサブセットが、レガシー無線端末に関連付けられ、前記複数の冗長バージョンの第２のサブセットが、非レガシー無線端末に関連付けられた、発明５４に記載の装置。
［発明５６］前記送信する手段は、前記既知のパラメータから導出されたスケジューリング情報にしたがって、前記複数の冗長バージョンの第２のサブセットを提供するように構成され、前記既知のパラメータは、前記非レガシー無線端末のうちの少なくとも１つによって知られている、発明５５に記載の装置。
［発明５７］前記送信する手段は、ルールを示すインジケーションを、前記無線端末へ通信するように構成され、ここで、前記ルールは、前記既知のパラメータを、前記スケジューリング情報のタイプに関連付けることに関連付けられている、発明４６に記載の装置。
［発明５８］システム情報ブロックを検出することを容易にする方法であって、
前記システム情報ブロックの送信を受信することと、
前記送信に関連付けられたスケジューリング情報のタイプを、少なくとも１つの既知のパラメータから導出することと、
前記システム情報ブロックを、前記スケジューリング情報のタイプに基づいて復号することと、ここで、前記復号することは、物理ダウンリンク制御チャネル送信と独立して実行される、
を備える方法。
［発明５９］前記システム情報ブロックは、タイプ１システム情報ブロック（ＳＩＢ１）である、発明５８に記載の方法。
［発明６０］前記少なくとも１つの既知のパラメータは、システム・フレーム番号またはセル識別子である、発明５８に記載の方法。
［発明６１］前記スケジューリング情報のタイプは、リソース・ブロック割当である、発明５８に記載の方法。
［発明６２］第２のタイプのスケジューリング情報に関連付けられた制約を特定することをさらに備える、発明５８に記載の方法。
［発明６３］前記制約は、可能な数の変調および符号化スキーム選択を限定することに関連付けられており、ここで、前記限定によって、ブラインド復号動作を減らすことが容易とされる、発明６２に記載の方法。
［発明６４］前記送信は、複数の冗長バージョンによって受信され、前記受信することは、レガシー無線端末に関連付けられた複数の冗長バージョンの第１のサブセットを、非レガシー無線端末に関連付けられた複数の冗長バージョンの第２のサブセットと区別することを備える、発明５８に記載の方法。
［発明６５］第１のシステム情報ブロックと第２のシステム情報ブロックの間の衝突を検出することをさらに備える、発明５８に記載の方法。
［発明６６］前記第１のシステム情報ブロックから復号された内容に対応する、再構築されたシンボルを除去することをさらに備え、前記除去することは、前記衝突の検出に基づく、発明６５に記載の方法。
［発明６７］前記検出することは、前記スケジューリング情報のタイプと、前記少なくとも１つの既知のパラメータとの間の関連付けに基づく、発明６５に記載の方法。
［発明６８］システム情報ブロックを検出することを容易にするように構成された装置であって、
メモリに格納されたコンピュータ実行可能な構成要素を実行するように構成されたプロセッサを備え、
前記構成要素は、
前記システム情報ブロックの送信を受信するように構成された通信構成要素と、
前記送信に関連付けられたスケジューリング情報のタイプを、少なくとも１つの既知のパラメータから導出するように構成された導出構成要素と、
前記システム情報ブロックの復号を、前記スケジューリング情報のタイプに基づいて実行するように構成された復号構成要素と、ここで、前記復号は、物理ダウンリンク制御チャネル送信と独立して実行される、
を備える装置。
［発明６９］前記システム情報ブロックは、タイプ１システム情報ブロック（ＳＩＢ１）である、発明６８に記載の装置。
［発明７０］前記少なくとも１つの既知のパラメータは、システム・フレーム番号またはセル識別子である、発明６８に記載の装置。
［発明７１］前記スケジューリング情報のタイプは、リソース・ブロック割当である、発明６８に記載の装置。
［発明７２］第２のタイプのスケジューリング情報に関連付けられた制約を特定するように構成された制約構成要素をさらに備える、発明６８に記載の装置。
［発明７３］前記制約は、可能な数の変調および符号化スキーム選択を限定することに関連付けられており、前記限定によって、ブラインド復号動作を減らすことが容易とされる、発明７２に記載の装置。
［発明７４］前記送信は、複数の冗長バージョンによって受信され、前記通信構成要素は、レガシー無線端末に関連付けられた複数の冗長バージョンの第１のサブセットを、非レガシー無線端末に関連付けられた複数の冗長バージョンの第２のサブセットと区別するように構成された、発明６８に記載の装置。
［発明７５］第１のシステム情報ブロックと第２のシステム情報ブロックとの間の衝突を検出するように構成された検出構成要素をさらに備える、発明６８に記載の装置。
［発明７６］前記衝突の検出に基づいて、前記第１のシステム情報ブロックから復号された内容に対応する、再構築されたシンボルを除去するように構成された除去構成要素をさらに備える、発明７５に記載の装置。
［発明７７］前記検出は、前記スケジューリング情報のタイプと、前記少なくとも１つの既知のパラメータとの間の関連付けに基づく、発明７５に記載の装置。
［発明７８］システム情報ブロックを検出することを容易にするコンピュータ・プログラム製品であって、
少なくとも１つのコンピュータに対して、
前記システム情報ブロックの送信を受信することと、
前記送信に関連付けられたスケジューリング情報のタイプを、少なくとも１つの既知のパラメータから導出することと、
前記システム情報ブロックを、前記スケジューリング情報のタイプに基づいて復号することと、ここで、前記システム情報ブロックは、物理ダウンリンク制御チャネル送信と独立して復号される、
を実行させるためのコードを備える、コンピュータ・プログラム製品。
［発明７９］前記コードは、前記少なくとも１つのコンピュータに対して、第２のタイプのスケジューリング情報に関連付けられた制約を特定させる、発明７８に記載のコンピュータ・プログラム製品。
［発明８０］前記制約は、可能な数の変調および符号化スキーム選択を限定することに関連付けられており、前記限定によって、ブラインド復号動作を減らすことが容易とされる、発明７９に記載のコンピュータ・プログラム製品。
［発明８１］前記送信は、複数の冗長バージョンによって受信され、前記コードは、前記少なくとも１つのコンピュータに対して、レガシー無線端末に関連付けられた複数の冗長バージョンの第１のサブセットを、非レガシー無線端末に関連付けられた複数の冗長バージョンの第２のサブセットと区別させる、発明７８に記載のコンピュータ・プログラム製品。
［発明８２］前記コードは、前記少なくとも１つのコンピュータに対して、第１のシステム情報ブロックと第２のシステム情報ブロックとの間の衝突を検出させる、発明７８に記載のコンピュータ・プログラム製品。
［発明８３］前記コードは、前記少なくとも１つのコンピュータに対して、前記衝突の検出に基づいて、前記第１のシステム情報ブロックから復号された内容に対応する、再構築されたシンボルを除去させる、発明８２に記載のコンピュータ・プログラム製品。
［発明８４］前記検出は、前記スケジューリング情報のタイプと、前記少なくとも１つの既知のパラメータとの間の関連付けに基づく、発明８２に記載のコンピュータ・プログラム製品。
［発明８５］システム情報ブロックを検出することを容易にするように構成された装置であって、
前記システム情報ブロックの送信を受信する手段と、
前記送信に関連付けられたスケジューリング情報のタイプを、少なくとも１つの既知のパラメータから導出する手段と、
前記システム情報ブロックを、前記スケジューリング情報のタイプに基づいて復号する手段と、ここで、前記システム情報ブロックは、物理ダウンリンク制御チャネル送信と独立して復号される、
を備える装置。
［発明８６］前記システム情報ブロックは、タイプ１システム情報ブロック（ＳＩＢ１）である、発明８５に記載の装置。
［発明８７］前記少なくとも１つの既知のパラメータは、システム・フレーム番号またはセル識別子である、発明８５に記載の装置。
［発明８８］前記スケジューリング情報のタイプは、リソース・ブロック割当である、発明８５に記載の装置。
【図１】
0005437490.tif 000002
【図２】
0005437490.tif 000003
【図３】
0005437490.tif 000004
【図４】
0005437490.tif 000005
【図５】
0005437490.tif 000006
【図６】
0005437490.tif 000007
【図７】
0005437490.tif 000008
【図８】
0005437490.tif 000009
【図９】
0005437490.tif 000010
【図１０】
0005437490.tif 000011
【図１１】
0005437490.tif 000012
【図１２】
0005437490.tif 000013